(57)【要約】  本発明の実施形態は、専用の復調基準信号(DMRS)のためのリソース構成方法、および関連する装置を開示する。専用の復調基準信号(DMRS)のためのリソース構成方法の1つは、アップリンクデータをユーザ機器(UE)から送信するための送信レイヤの数を決定する段階と、決定された送信レイヤ数に従って、循環シフト(CS)リソースと直交カバー符号(OCC)系列リソースとの事前設定済みの複数のタイプの組合せ構成項目(システムによってサポートされる最大送信レイヤ数について設定され、各送信レイヤのDMRS系列を生成するのに使用できる)のうちの1つから、アップリンクデータをUEから送信するための各送信レイヤのDMRS系列を生成するのに使用される必要のあるCSリソースとOCC系列リソースとの組合せ構成を選択する段階と、構成指示情報を含む制御シグナリングを生成してこのUEに送信する段階とを含む。本発明の実施形態の技術的解決法は、DMRSリソース構成のプロトコル記述の複雑さを単純化することができ、コードワード間のDMRS干渉を低減するのを容易にすることができる。
2013543287.tif 000002
【特許請求の範囲】
【請求項１】
復調基準信号のリソース構成方法であって、
アップリンクデータを送信するための、ユーザ機器(UE)の送信レイヤの数を決定する段階と、
前記決定された送信レイヤ数に基づいて、循環シフト(CS)と直交カバー符号(OCC)系列との事前設定済みの複数の組合せ構成項目のうちの1つから、アップリンクデータを送信するための前記UEの前記送信レイヤのそれぞれの復調基準信号(DMRS)系列を生成するのに必要とされるCSとOCC系列との組合せ構成を選択する段階であって、前記組合せ構成項目が、システムによってサポート可能な最大送信レイヤ数に関して設定され、かつ送信レイヤのそれぞれのDMRS系列を生成するのに必要とされるものであり、第1の構成条件が前記事前設定済みの組合せ構成項目間で満たされ、前記第1の構成条件が、少なくとも2つの同じCSリソースで構成される組合せ構成項目間で、異なるOCC系列が構成されることを含む段階と、
制御シグナリングを生成して前記UEに送達する段階であって、前記制御シグナリングが構成指示情報を含み、前記構成指示情報が、アップリンクデータを送信するための前記UEの前記送信レイヤのそれぞれのDMRS系列を生成するのに必要とされる前記CSとOCC系列との前記選択された組合せ構成を指示するものである段階とを含むことを特徴とする方法。
【請求項２】
前記事前設定済みの組合せ構成項目のそれぞれが第2の構成条件または第3の構成条件も満たし、
前記第2の構成条件が、組合せ構成項目中で、同じコードワードにマッピングされる送信レイヤに対応するCSリソース間の間隔が、異なるコードワードにマッピングされる送信レイヤに対応するCSリソース間の間隔よりも大きいことを含み、
前記第3の構成条件が、組合せ構成項目中で、同じコードワードにマッピングされる異なる送信レイヤに対応するCSリソース間の間隔が、異なるコードワードにマッピングされる送信レイヤに対応するCSリソース間の間隔よりも小さい場合は、前記同じコードワードにマッピングされる前記異なる送信レイヤが、異なるOCC系列で構成されることを含むことを特徴とする、請求項1に記載の方法。
【請求項３】
前記構成指示情報が、前記決定された送信レイヤ数と、前記事前設定済みの複数の組合せ構成項目からの前記選択された組合せ構成項目に対応する項目番号とを含むことを特徴とする、請求項1または2に記載の方法。
【請求項４】
アップリンクデータを送信するための前記UEのそれぞれの送信レイヤのDMRS系列を生成するのに必要な前記選択されたOCC系列リソース構成を使用して、前記UEによって使用されるDMRS系列グループホッピングモードを指示する段階をさらに含み、
アップリンクデータを送信するための前記UEのそれぞれの送信レイヤのDMRS系列を生成するのに必要な前記選択されたOCC系列リソース構成が同一である場合は、サブフレーム間DMRS系列グループホッピングモードを採用するよう前記UEに指示し、アップリンクデータを送信するための前記UEのそれぞれの送信レイヤのDMRS系列を生成するのに必要な前記選択されたOCC系列リソース構成が異なる場合は、スロット間DMRS系列グループホッピングモードを採用するよう前記UEに指示することを特徴とする、請求項1または2に記載の方法。
【請求項５】
前記事前設定済みのそれぞれの組合せ構成項目に対応する項目番号とDMRS系列グループホッピングモードとの間のマッピング関係に基づいて、前記構成指示情報に含まれる前記項目番号を使用して、前記UEによって採用されるDMRS系列グループホッピングモードを指示する段階をさらに含むことを特徴とする、請求項3に記載の方法。
【請求項６】
事前設定済みであり、前記システムによってサポート可能な前記最大送信レイヤ数を対象とし、それぞれの送信レイヤの復調基準信号DMRS系列を生成するのに使用可能であるCSとOCC系列との複数の組合せ構成項目のうちの1つの組合せ構成項目から、前記決定された送信レイヤ数に基づいて、アップリンクデータを送信するための前記UEのそれぞれの送信レイヤのDMRS系列を生成するのに必要なCSとOCC系列との組合せ構成を選択する前記段階が、
事前設定済みであり、前記システムによってサポート可能な前記最大送信レイヤ数を対象とし、それぞれの送信レイヤの復調基準信号DMRS系列を生成するのに使用可能であるCSとOCC系列との複数の組合せ構成項目のうちの1つの組合せ構成項目から、前記決定された送信レイヤ数に基づいて、かつ、送信レイヤ数と送信レイヤ選択モードとの間の事前設定済みのマッピング関係に基づいて、アップリンクデータを送信するための前記UEのそれぞれの送信レイヤのDMRS系列を生成するのに必要なCSとOCC系列との組合せ構成を選択する段階を含むことを特徴とする、請求項1または2に記載の方法。
【請求項７】
前記決定された送信レイヤ数が2よりも多い場合は、同一の利用可能CSリソース集合を採用する2つの選択された送信レイヤに対応する前記選択されたCSリソース構成を使用して、前記UEに割り振られる2つのハイブリッド自動再送要求HARQフィードバックチャネルリソースを指示する段階をさらに含むことを特徴とする、請求項1または2に記載の方法。
【請求項８】
復調基準信号のリソース構成方法であって、
アクセスネットワークデバイスによって送達された、構成指示情報を含む制御シグナリングを受信する段階であって、前記構成指示情報が、アップリンクデータを送信するためのユーザ機器(UE)の送信レイヤのそれぞれの復調基準信号(DMRS)系列を生成するのに必要とされる循環シフト(CS)と直交カバー符号(OCC)系列との組合せ構成を指示し、前記組合せ構成が、アップリンクデータを送信するための前記UEの決定された送信レイヤ数に基づいて、CSとOCC系列との事前設定済みの複数の組合せ構成項目のうちの1つから前記アクセスネットワークデバイスによって選択されるものであり、前記組合せ構成項目が、システムによってサポート可能な最大送信レイヤ数に関して設定され、かつ送信レイヤのそれぞれのDMRS系列を生成するのに必要とされるものである段階と、
前記構成指示情報に従って、CSとOCC系列との事前設定済みの複数の組合せ構成項目からの、CSとOCC系列との前記組合せ構成を決定する段階であって、前記組合せ構成が、前記アクセスネットワークデバイスによって選択され、かつアップリンクデータを送信するための前記UEの送信レイヤのそれぞれのDMRS系列を生成するのに必要とされるものであり、前記組合せ構成項目が、前記システムによってサポート可能な前記最大送信レイヤ数に関して設定され、かつ送信レイヤのそれぞれのDMRS系列を生成するのに必要とされるものである段階と、
前記決定された組合せ構成に対応するCSおよびOCC系列を使用して、アップリンクデータを送信するための前記UEの前記送信レイヤの前記それぞれのDMRS系列を生成する段階とを含むことを特徴とする方法。
【請求項９】
前記決定された組合せ構成中のそれぞれの送信レイヤに対応するOCC系列に基づいて、使用されるDMRS系列グループホッピングモードを決定する段階をさらに含み、
前記決定された組合せ構成中の前記それぞれの送信レイヤに対応する前記OCC系列リソース構成が同じである場合は、サブフレーム間DMRS系列グループホッピングモードが使用されると決定し、前記決定された組合せ構成中の前記それぞれの送信レイヤに対応する前記OCC系列リソース構成が異なる場合は、スロット間DMRS系列グループホッピングモードが使用されると決定することを特徴とする、請求項8に記載の方法。
【請求項１０】
アップリンクデータを送信するための前記送信レイヤの数が2よりも多い場合は、HARQフィードバックチャネルリソースと、前記決定された組合せ構成中で同じ利用可能CSリソース集合を使用する2つの送信レイヤに対応するCSリソースとの間の事前設定済みのマッピング関係に基づいて、前記アクセスネットワークデバイスによって割り振られた2つのHARQフィードバックチャネルリソースを得る段階をさらに含むことを特徴とする、請求項8または9に記載の方法。
【請求項１１】
アップリンクデータを送信するためのユーザ機器(UE)の送信レイヤの数を決定するように構成された決定モジュールと、
前記決定モジュールによって決定された前記送信レイヤ数に基づいて、循環シフト(CS)と直交カバー符号(OCC)系列との事前設定済みの複数の組合せ構成項目のうちの1つから、アップリンクデータを送信するための前記UEの前記送信レイヤのそれぞれの復調基準信号(DMRS)系列を生成するのに必要とされるCSとOCC系列との組合せ構成を選択するように構成された構成選択モジュールであって、前記組合せ構成項目が、システムによってサポート可能な最大送信レイヤ数に関して設定され、かつ送信レイヤのそれぞれのDMRS系列を生成するのに必要とされ、第1の構成条件が前記事前設定済みの組合せ構成項目間で満たされ、前記第1の構成条件が、少なくとも2つの同じCSリソースで構成される組合せ構成項目間で、異なるOCC系列が構成されることを含む、構成選択モジュールと、
制御シグナリングを生成して前記UEに送達するように構成された指示モジュールであって、前記制御シグナリングが構成指示情報を含み、前記構成指示情報が、前記構成選択モジュールによって選択された、かつアップリンクデータを送信するための前記UEの前記送信レイヤのそれぞれのDMRS系列を生成するのに必要とされる、前記CSとOCC系列との前記組合せ構成を指示する、指示モジュールとを備えることを特徴とする、アクセスネットワークデバイス。
【請求項１２】
前記事前設定済みのそれぞれの組合せ構成項目がそれぞれ、第2の構成条件または第3の構成条件も満たし、
前記第2の構成条件が、組合せ構成項目中で、同じコードワードにマッピングされる送信レイヤに対応するCSリソース間の間隔が、異なるコードワードにマッピングされる送信レイヤに対応するCSリソース間の間隔よりも大きいことを含み、
前記第3の構成条件が、組合せ構成項目中で、同じコードワードにマッピングされる異なる送信レイヤに対応するCSリソース間の間隔が、異なるコードワードにマッピングされる送信レイヤに対応するCSリソース間の間隔よりも小さい場合は、前記同じコードワードにマッピングされる前記異なる送信レイヤが、異なるOCC系列で構成されることを含むことを特徴とする、請求項11に記載のアクセスネットワークデバイス。
【請求項１３】
前記指示モジュールによって生成され送達される前記制御シグナリングに含まれる前記構成指示情報が、前記決定モジュールによって決定された前記送信レイヤ数と、前記事前設定済みの複数の組合せ構成項目から前記構成選択モジュールによって選択された前記組合せ構成項目に対応する項目番号とを含むことを特徴とする、請求項11または12に記載のアクセスネットワークデバイス。
【請求項１４】
前記指示モジュールがさらに、前記事前設定済みのそれぞれの組合せ構成項目に対応する項目番号とDMRS系列グループホッピングモードとの間のマッピング関係に基づいて、前記構成指示情報に含まれる項目番号を使用して、前記UEによって使用されるDMRS系列グループホッピングモードを指示するように構成されたことを特徴とする、請求項13に記載のアクセスネットワークデバイス。
【請求項１５】
前記指示モジュールがさらに、アップリンクデータを送信するための前記UEのそれぞれの送信レイヤのDMRS系列を生成するのに必要な前記選択されたOCC系列リソース構成を使用して、前記UEによって使用されるDMRS系列グループホッピングモードを指示するように構成され、
アップリンクデータを送信するための前記UEのそれぞれの送信レイヤのDMRS系列を生成するのに必要な前記選択されたOCC系列リソース構成が同じである場合は、サブフレーム間DMRS系列グループホッピングモードが前記UEによって使用されるよう指示し、アップリンクデータを送信するための前記UEのそれぞれの送信レイヤのDMRS系列を生成するのに必要な前記選択されたOCC系列リソース構成が異なる場合は、スロット間DMRS系列グループホッピングモードが前記UEによって使用されるよう指示することを特徴とする、請求項11または12に記載のアクセスネットワークデバイス。
【請求項１６】
前記構成選択モジュールが、前記決定モジュールによって決定された前記送信レイヤ数に基づいて、CSとOCC系列との事前設定済みの複数の組合せ構成項目のうちの1つから、アップリンクデータを送信するための前記UEの前記送信レイヤのそれぞれの復調基準信号(DMRS)系列を生成するのに必要とされるCSとOCC系列との組合せ構成を選択するように構成され、前記組合せ構成項目が、前記システムによってサポート可能な前記最大送信レイヤ数に関して設定され、かつ送信レイヤのそれぞれのDMRS系列を生成するのに必要とされ、前記選択することが、
事前設定済みであり、前記システムによってサポート可能な前記最大送信レイヤ数を対象とし、それぞれの送信レイヤの復調基準信号DMRS系列を生成するのに使用可能であるCSとOCC系列との複数の組合せ構成項目のうちの1つの組合せ構成項目から、前記決定された送信レイヤ数に基づいて、かつ、送信レイヤ数と送信レイヤ選択モードとの間の事前設定済みのマッピング関係に基づいて、アップリンクデータを送信するための前記UEのそれぞれの送信レイヤのDMRS系列を生成するのに必要なCSとOCC系列との組合せ構成を選択することを含むことを特徴とする、請求項11または12に記載のアクセスネットワークデバイス。
【請求項１７】
前記決定モジュールによって決定された前記送信レイヤ数が2よりも多いときは、前記指示モジュールがさらに、同一の利用可能CSリソース集合を採用する2つの送信レイヤに対応する前記選択されたCSリソース構成を使用して、前記UEに割り振られる2つのハイブリッド自動再送要求HARQフィードバックチャネルリソースを指示するように構成されたことを特徴とする、請求項11または12に記載のアクセスネットワークデバイス。
【請求項１８】
アクセスネットワークデバイスによって送達された、構成指示情報を含む制御シグナリングを受信するように構成された受信モジュールであって、前記構成指示情報が、アップリンクデータを送信するためのユーザ機器(UE)の送信レイヤのそれぞれの復調基準信号(DMRS)系列を生成するのに必要とされる循環シフト(CS)と直交カバー符号(OCC)系列との組合せ構成を指示し、前記組合せ構成が、アップリンクデータを送信するための前記UEの決定された送信レイヤ数に基づいて、CSとOCC系列との事前設定済みの複数の組合せ構成項目のうちの1つから前記アクセスネットワークデバイスによって選択され、前記組合せ構成項目が、システムによってサポート可能な最大送信レイヤ数に関して設定され、かつ送信レイヤのそれぞれのDMRS系列を生成するのに必要とされる、受信モジュールと、
前記受信モジュールによって受信された前記制御シグナリングに含まれる前記構成指示情報に従って、CSとOCC系列との事前設定済みの複数の組合せ構成項目からの、CSとOCC系列との前記組合せ構成を決定するように構成された構成決定モジュールであって、前記組合せ構成が、前記アクセスネットワークデバイスによって選択され、かつアップリンクデータを送信するための前記UEの送信レイヤのそれぞれのDMRS系列を生成するのに必要とされ、前記組合せ構成項目が、前記システムによってサポート可能な前記最大送信レイヤ数に関して設定され、かつ送信レイヤのそれぞれのDMRS系列を生成するのに必要とされる、構成決定モジュールと、
前記構成決定モジュールによって決定された前記組合せ構成に対応するCSおよびOCC系列を使用して、アップリンクデータを送信するための前記UEの前記送信レイヤの前記それぞれのDMRS系列を生成するように構成された生成モジュールとを備えることを特徴とする、ユーザ機器。
【請求項１９】
前記構成決定モジュールがさらに、
前記決定された組合せ構成中のそれぞれの送信レイヤに対応する前記OCC系列に基づいて、使用されるDMRS系列グループホッピングモードを決定するように構成され、前記決定された組合せ構成中で前記それぞれの送信レイヤに対応する前記OCC系列リソース構成が同一である場合は、サブフレーム間DMRS系列グループホッピングモードの使用を決定し、前記決定された組合せ構成中で前記それぞれの送信レイヤに対応する前記OCC系列リソース構成が異なる場合は、スロット間DMRS系列グループホッピングモードの使用を決定することを特徴とする、請求項18に記載のユーザ機器。
【請求項２０】
前記構成決定モジュールがさらに、
アップリンクデータを送信するための前記送信レイヤ数が2よりも多いときは、HARQフィードバックチャネルリソースと、前記決定された組合せ構成中で同一の利用可能CSリソース集合を採用する2つの送信レイヤに対応するCSリソースとの間の事前設定済みのマッピング関係に基づいて、前記アクセスネットワークデバイスによって割り振られた2つのHARQフィードバックチャネルリソースを得るように構成されたことを特徴とする、請求項18または19に記載のユーザ機器。
【請求項２１】
アクセスネットワークデバイスの実行可能命令を記憶するように構成された、前記アクセスネットワークデバイス中のコンピュータプログラムであって、
コンピュータ可読記憶媒体を備え、前記コンピュータ可読記憶媒体が、
アップリンクデータを送信するためのユーザ機器(UE)の送信レイヤの数を決定するようコンピュータをトリガするように構成された第1のコードと、
前記決定された送信レイヤ数に基づいて、循環シフト(CS)と直交カバー符号(OCC)系列との事前設定済みの複数の組合せ構成項目のうちの1つから、アップリンクデータを送信するための前記UEの前記送信レイヤのそれぞれの復調基準信号(DMRS)系列を生成するのに必要とされるCSとOCC系列との組合せ構成を選択するようコンピュータをトリガするように構成された第2のコードであって、前記組合せ構成項目が、システムによってサポート可能な最大送信レイヤ数に関して設定され、かつ送信レイヤのそれぞれのDMRS系列を生成するのに必要とされ、第1の構成条件が前記事前設定済みの組合せ構成項目間で満たされ、前記第1の構成条件が、少なくとも2つの同じCSリソースで構成される組合せ構成項目間で、異なるOCC系列が構成されることを含む、第2のコードと、
制御シグナリングを生成して前記UEに送達するようコンピュータをトリガするように構成された第3のコードであって、前記制御シグナリングが構成指示情報を含み、前記構成指示情報が、アップリンクデータを送信するための前記UEの前記送信レイヤのそれぞれのDMRS系列を生成するのに必要とされる前記CSとOCC系列との前記選択された組合せ構成を指示する、第3のコードとを含むことを特徴とする、コンピュータプログラム。
【請求項２２】
前記事前設定済みのそれぞれの組合せ構成項目がそれぞれ、第2の構成条件または第3の構成条件も満たし、
前記第2の構成条件が、組合せ構成項目中で、同じコードワードにマッピングされる送信レイヤに対応するCSリソース間の間隔が、異なるコードワードにマッピングされる送信レイヤに対応するCSリソース間の間隔よりも大きいことを含み、
前記第3の構成条件が、組合せ構成項目中で、同じコードワードにマッピングされる異なる送信レイヤに対応するCSリソース間の間隔が、異なるコードワードにマッピングされる送信レイヤに対応するCSリソース間の間隔よりも小さい場合は、前記同じコードワードにマッピングされる前記異なる送信レイヤが、異なるOCC系列で構成されることを含むことを特徴とする、請求項21に記載のコンピュータプログラム。
【請求項２３】
前記構成指示情報が、前記決定された送信レイヤ数と、前記事前設定済みの複数の組合せ構成項目からの前記選択された組合せ構成項目に対応する項目番号とを含むことを特徴とする、請求項21または22に記載のコンピュータプログラム。
【請求項２４】
前記コンピュータ可読記憶媒体がさらに、
アップリンクデータを送信するための前記UEのそれぞれの送信レイヤのDMRS系列を生成するのに必要な前記選択されたOCC系列リソース構成を使用して、前記UEによって使用されるDMRS系列グループホッピングモードを指示するようにコンピュータをトリガするように構成された第4のコードを含み、
アップリンクデータを送信するための前記UEのそれぞれの送信レイヤのDMRS系列を生成するのに必要な前記選択されたOCC系列リソース構成が同一である場合は、サブフレーム間DMRS系列グループホッピングモードを採用するよう前記UEに指示し、アップリンクデータを送信するための前記UEのそれぞれの送信レイヤのDMRS系列を生成するのに必要な前記選択されたOCC系列リソース構成が異なる場合は、スロット間DMRS系列グループホッピングモードを採用するよう前記UEに指示することを特徴とする、請求項21または22に記載のコンピュータプログラム。
【請求項２５】
前記コンピュータ可読記憶媒体がさらに、
前記事前設定済みのそれぞれの組合せ構成項目に対応する項目番号とDMRS系列グループホッピングモードとの間のマッピング関係に基づいて、前記構成指示情報に含まれる前記項目番号を使用して、前記UEによって採用されるDMRS系列グループホッピングモードを指示するようコンピュータをトリガするように構成された第5のコードを含むことを特徴とする、請求項23に記載のコンピュータプログラム。
【請求項２６】
前記第2のコードが特に、事前設定済みであり、前記システムによってサポート可能な前記最大送信レイヤ数を対象とし、それぞれの送信レイヤの復調基準信号DMRS系列を生成するのに使用可能であるCSとOCC系列との複数の組合せ構成項目のうちの1つの組合せ構成項目から、前記決定された送信レイヤ数に基づいて、かつ、送信レイヤ数と送信レイヤ選択モードとの間の事前設定済みのマッピング関係に基づいて、アップリンクデータを送信するための前記UEのそれぞれの送信レイヤのDMRS系列を生成するのに必要なCSとOCC系列との組合せ構成を選択するようコンピュータをトリガするように構成されたことを特徴とする、請求項21または22に記載のコンピュータプログラム。
【請求項２７】
前記コンピュータ可読記憶媒体がさらに、
前記決定された送信レイヤ数が2よりも多い場合は、同一の利用可能CSリソース集合を採用する2つの送信レイヤに対応する前記選択されたCSリソース構成を使用して、前記UEに割り振られる2つのハイブリッド自動再送要求HARQフィードバックチャネルリソースを指示するようコンピュータをトリガするように構成された第6のコードを含むことを特徴とする、請求項21または22に記載のコンピュータプログラム。
【請求項２８】
ユーザ機器の実行可能命令を記憶するように構成された、前記ユーザ機器中のコンピュータプログラムであって、
コンピュータ可読記憶媒体を備え、前記コンピュータ可読記憶媒体が、
アクセスネットワークデバイスによって送達された、構成指示情報を含む制御シグナリングを受信するようコンピュータをトリガするように構成された第1のコードであって、前記構成指示情報が、アップリンクデータを送信するためのユーザ機器(UE)の送信レイヤのそれぞれの復調基準信号(DMRS)系列を生成するのに必要とされる循環シフト(CS)と直交カバー符号(OCC)系列との組合せ構成を指示し、前記組合せ構成が、アップリンクデータを送信するための前記UEの決定された送信レイヤ数に基づいて、CSとOCC系列との事前設定済みの複数の組合せ構成項目のうちの1つから前記アクセスネットワークデバイスによって選択され、前記組合せ構成項目が、システムによってサポート可能な最大送信レイヤ数に関して設定され、かつ送信レイヤのそれぞれのDMRS系列を生成するのに必要とされる、第1のコードと、
受信モジュールによって受信された前記制御シグナリングに含まれる前記構成指示情報に従って、CSとOCC系列との事前設定済みの複数の組合せ構成項目からの、CSとOCC系列との組合せ構成を決定するようコンピュータをトリガするように構成された第2のコードであって、前記組合せ構成が、前記アクセスネットワークデバイスによって選択され、かつアップリンクデータを送信するためのUEの送信レイヤのそれぞれのDMRS系列を生成するのに必要とされ、前記組合せ構成項目が、前記システムによってサポート可能な前記最大送信レイヤ数に関して設定され、かつ送信レイヤのそれぞれのDMRS系列を生成するのに必要とされる、第2のコードと、
構成決定モジュールによって決定された前記組合せ構成に対応するCSおよびOCC系列を使用して、アップリンクデータを送信するための前記UEの前記送信レイヤの前記それぞれのDMRS系列を生成するようコンピュータをトリガするように構成された第3のコードとを含むことを特徴とする、コンピュータプログラム。
【請求項２９】
前記コンピュータ可読記憶媒体がさらに、
前記決定された組合せ構成中のそれぞれの送信レイヤに対応する前記OCC系列に基づいて、使用されるDMRS系列グループホッピングモードを決定するようコンピュータをトリガする第4のコードを含み、前記決定された組合せ構成中で前記それぞれの送信レイヤに対応する前記OCC系列リソース構成が同一である場合は、サブフレーム間DMRS系列グループホッピングモードの使用を決定し、前記決定された組合せ構成中で前記それぞれの送信レイヤに対応する前記OCC系列リソース構成が異なる場合は、スロット間DMRS系列グループホッピングモードの使用を決定することを特徴とする、請求項28に記載のコンピュータプログラム。
【請求項３０】
前記コンピュータ可読記憶媒体がさらに、
アップリンクデータを送信するための前記決定された送信レイヤ数が2よりも多い場合は、HARQフィードバックチャネルリソースと、前記決定された組合せ構成中で同一の利用可能CSリソース集合を採用する2つの送信レイヤに対応するCSリソースとの間の事前設定済みのマッピング関係に基づいて、前記アクセスネットワークデバイスによって割り振られた2つのHARQフィードバックチャネルリソースを得るようコンピュータをトリガする第5のコードを含むことを特徴とする、請求項28または29に記載のコンピュータプログラム。
【請求項３１】
通信システム中のアクセスネットワークデバイスまたはユーザ機器に適用されるコンピュータ可読記憶媒体であって、
CSとOCC系列との事前設定済みの複数の組合せ構成項目を記憶するように構成され、前記組合せ構成項目が、前記システムによってサポート可能な最大送信レイヤ数に関して設定され、かつ送信レイヤのそれぞれのDMRS系列を生成するのに必要とされ、第1の構成条件が前記事前設定済みの組合せ構成項目間で満たされ、前記第1の構成条件が、少なくとも2つの同じCSリソースで構成される組合せ構成項目間で、異なるOCC系列が構成されることを含むことを特徴とする、コンピュータ可読記憶媒体。
【請求項３２】
前記事前設定済みのそれぞれの組合せ構成項目がそれぞれ、第2の構成条件または第3の構成条件も満たし、
前記第2の構成条件が、組合せ構成項目中で、同じコードワードにマッピングされる送信レイヤに対応するCSリソース間の間隔が、異なるコードワードにマッピングされる送信レイヤに対応するCSリソース間の間隔よりも大きいことを含み、
前記第3の構成条件が、組合せ構成項目中で、同じコードワードにマッピングされる異なる送信レイヤに対応するCSリソース間の間隔が、異なるコードワードにマッピングされる送信レイヤに対応するCSリソース間の間隔よりも小さい場合は、前記同じコードワードにマッピングされる前記異なる送信レイヤが、異なるOCC系列で構成されることを含むことを特徴とする、請求項31に記載のコンピュータ可読記憶媒体。
【発明の詳細な説明】
【技術分野】
【０００１】
本発明は、遠隔通信技術の分野に関し、特に、復調基準信号のリソース構成方法および関連するデバイスに関する。
【０００２】
本出願は、参照によりその内容全体が本明細書に組み込まれる、2010年6月28日に中国特許庁に出願された「Resource Configuration Method and Relevant Device of Demodulation Reference Signal」という名称の中国特許出願第201010217558.7号の優先権を主張するものである。
【背景技術】
【０００３】
第3世代パートナーシッププロジェクト(3GPP)のロングタームエボリューション(LTE)システムでは、アップリンクデータ送信は普通、チャネル推定のために復調基準信号(DMRS、Demodulation Reference Signal)を使用する。
【０００４】
基地局は、アップリンクデータを送信する必要のある各ユーザ機器(UE)ごとに、アップリンクデータ送信用の物理リソースブロック(PRB、Physical Resource Block)を割り振る。一方、リソースマッピングの最小粒度はリソース要素(RE、Resource Element)と呼ばれ、DMRSを搬送するためのリソースは、基地局によってUEに割り振られたアップリンクデータ送信用のPRB内に位置する。例えば、図1に、LTE Rel-8のアップリンクDMRSのパイロット周波数構造を示す。サブフレームは14個のシンボルからなり、これらのシンボルは、7つのシンボルをそれぞれが含む2つのスロットに分割される。割り振られた各PRB内で、DMRSを搬送するリソース要素は、第4および第11のシンボル、すなわち各スロットの真ん中のシンボルを占める。一定振幅ゼロ自己相関(CAZAC、Constant Amplitude Zero Auto-Correlation)系列を循環的にシフトすることから、DMRS系列を生成することができる。異なるCAZAC系列は、異なるDMRS系列を生成する。基地局は、制御シグナリングを介して、DMRS系列を生成するのに使用される循環シフト(CS、Cyclic Shift)についてUEに知らせ、UEは、制御シグナリングに従ってDMRS系列を生成する。
【０００５】
LTE-Advanced(LTE-A)システムでは、UEのアップリンク送信レートをさらに上げるために、アップリンク多入力多出力(MIMO)送信が導入される。UEは、マルチレイヤ空間多重送信を実施することができる。マルチレイヤ送信をサポートするには、基地局は、UEの送信レイヤ用のそれぞれのDMRS系列を割り振る必要があり、これらのDMRS系列は相互に直交する。システム設計に対する複雑さを増大させないために、送信レイヤのそれぞれのDMRS系列は、同じ時間-周波数リソースを占めることができる。すなわち、LTE Rel-8のDMRS時間-周波数パターンが依然として使用され、DMRS系列を生成するための異なるCSを構成することによって符号分割直交性が達成される。
【０００６】
マルチユーザMIMO(MU-MIMO)スケジューリングの場合、すなわち少なくとも2つのUEが送信のために対をなす場合は、基地局によって対をなすUEに割り振られたPRBリソースが整合しないならば、対をなすUEによって使用されるDMRS系列の長さは異なる。長さの異なるDMRS系列は、CSのみによって符号分割で直交化させることはできない。割り振られたPRBリソースが整合しないMU-MIMO UEの、DMRS系列間の直交性を確実にするために、LTE-Aシステムは、直交カバー符号(OCC、Orthogonal Cover Code)系列ベースの符号分割モードを導入する。すなわち、DMRS系列を生成するためのCSをUEごとに割り振ることに加えて、PRBの2つのスロットのDMRS系列に作用するための異なるOCC系列もまた割り振られることになる。
【０００７】
OCC系列は、{1,1}および{1,-1}とすることができる。UE1およびUE2が、MU-MIMOに向けてスケジュールされた対をなすUEであり、系列{1,1}がUE1に割り振られ、系列{1,-1}がUE2に割り振られると仮定することができる。UE1およびUE2は、あるPRBの第1のスロット内では、循環シフト後に生成されたDMRS系列にOCC系列の第1のビットを乗算し、第2のスロット内では、循環シフト後に生成されたDMRS系列にOCC系列の第2のビットを乗算する。このような場合、直交性を達成するために、PRBの2つのスロット内で各UEによって使用されるCSは同じであり、UEは、スロット間の系列グループホッピングを行わない。OCC系列は複数レイヤのDMRS間の直交性をさらに強化することもできるので、LTE-Aシステムでは、単一UE MIMOのDMRS直交性のためにOCC系列を適用することもできる。すなわち、単一UEの異なる送信レイヤに、異なるOCC系列を割り振ることができる。このような場合、基地局によって送達される制御シグナリングは、送信レイヤのそれぞれのDMRS系列を生成するのに必要とされるCSおよびOCC系列について、UEに知らせる必要がある。
【０００８】
現在のR1-101008提案は、DMRS系列の生成において適用することのできる、CSとOCC系列との複数の組合せ構成を提示しており、UEの種々の送信レイヤ番号に対応させてCSとOCC系列との種々の組合せ構成を設定することができる。Table 1(表1)に、R1-101008提案によって提示される、種々のランク値に基づく複数の組合せ構成を具体的に示す(この表は、DMRSリソース構成テーブルと呼ぶことができる)。
【０００９】
【表１】
2013543287.tif 000003
【００１０】
Table 1(表1)で、ランクは、アップリンクデータを送信するためのUEの送信レイヤの数を示す。Table 1(表1)では例えば、システムが最大で4つの送信レイヤをサポートできると仮定すると、基地局は、事前設定済みのTable 1(表1)中で、UEに割り振られるCSとOCC系列との組合せ構成を選択し、ランク値とDMRSリソース構成番号の番号とをUEに知らせる。UEは、知らされたランク値とDMRSリソース構成番号の番号とに従って、事前設定済みのTable 1(表1)を検索し、DMRS系列を生成するのに使用可能であり基地局によって割り振られた、CSリソースとOCC系列リソースとの組合せ構成項目を得る。
【００１１】
従来技術を研究および実践する中で、本発明者は、現在のDMRSリソース構成モードにおいて、種々のランク値に対応させて確立されたCSリソースとOCC系列リソースとの組合せ構成項目が相互から独立していること、またこれにより仕様定義の複雑さがある程度増大することに気付く。
【発明の概要】
【発明が解決しようとする課題】
【００１２】
本発明の実施形態は、DMRSを生成するのに必要とされるCSとOCC系列との組合せ構成に関する仕様を記述する複雑さを単純化することができ、コードワードのDMRS間の干渉を低減することができる、復調基準信号のためのリソースを構成するための方法および関連するデバイスを提供する。
【課題を解決するための手段】
【００１３】
上記の技術的問題を解決するために、本発明の実施形態は、以下の技術的方式を提供する。
【００１４】
復調基準信号のリソース構成方法であって、
アップリンクデータを送信するための、ユーザ機器(UE)の送信レイヤの数を決定する段階と、
決定された送信レイヤ数に基づいて、CSリソースとOCC系列リソースとの事前設定済みの複数の組合せ構成項目のうちの1つから、アップリンクデータを送信するためのUEの送信レイヤのそれぞれのDMRS系列を生成するのに必要とされるCSとOCC系列との組合せ構成を選択する段階であって、組合せ構成項目が、システムによってサポート可能な最大送信レイヤ数に関して設定され、かつ送信レイヤのそれぞれのDMRS系列を生成するのに使用可能であり、第1の構成条件が、事前設定済みの組合せ構成項目のうちのいくつかの項目間で満たされ、第1の構成条件が、少なくとも2つの同じCSリソースで構成される組合せ構成項目間で、異なるOCC系列が構成されることを含む段階と、
制御シグナリングを生成してUEに送達する段階であって、制御シグナリングが構成指示情報を含み、構成指示情報が、アップリンクデータを送信するためのUEの送信レイヤのそれぞれのDMRS系列を生成するのに必要とされるCSとOCC系列との選択された組合せ構成を指示するものである段階とを含む方法。
【００１５】
復調基準信号のリソース構成方法であって、
アクセスネットワークデバイスによって送達された、構成指示情報を含む制御シグナリングを受信する段階であって、構成指示情報が、アップリンクデータを送信するためのUEの送信レイヤのそれぞれのDMRS系列を生成するのに必要とされるCSリソースとOCC系列リソースとの組合せ構成を指示し、組合せ構成が、アップリンクデータを送信するためのUEの決定された送信レイヤ数に基づいて、CSとOCC系列との事前設定済みの複数の組合せ構成項目のうちの1つからアクセスネットワークデバイスによって選択され、複数の組合せ構成項目が、システムによってサポート可能な最大送信レイヤ数に関して設定され、かつそれぞれの送信レイヤのDMRS系列を生成するのに使用可能である段階と、
構成指示情報に従って、CSとOCC系列との事前設定済みの複数の組合せ構成項目からの、CSとOCC系列との組合せ構成を決定する段階であって、組合せ構成が、アクセスネットワークデバイスによって選択され、かつアップリンクデータを送信するためのUEの送信レイヤのそれぞれのDMRS系列を生成するのに必要とされるものであり、組合せ構成項目が、システムによってサポート可能な最大送信レイヤ数に関して設定され、かつ送信レイヤのそれぞれのDMRS系列を生成するのに使用可能である段階と、
決定された組合せ構成に対応するCSリソースおよびOCC系列リソースを使用して、アップリンクデータを送信するためのUEの送信レイヤのそれぞれのDMRS系列を生成する段階とを含む方法。
【００１６】
アップリンクデータを送信するためのUEの送信レイヤの数を決定するように構成された決定モジュールと、
決定モジュールによって決定された送信レイヤ数に基づいて、CSとOCC系列との事前設定済みの複数の組合せ構成項目のうちの1つから、アップリンクデータを送信するためのUEの送信レイヤのそれぞれのDMRS系列を生成するのに必要とされるCSとOCC系列との組合せ構成を選択するように構成された構成選択モジュールであって、組合せ構成項目が、システムによってサポート可能な最大送信レイヤ数に関して設定され、かつ送信レイヤのそれぞれのDMRS系列を生成するのに必要とされ、第1の構成条件が、事前設定済みの組合せ構成項目間で満たされ、第1の構成条件が、少なくとも2つの同じCSリソースで構成される組合せ構成項目間で、異なるOCC系列が構成されることを含む、構成選択モジュールと、
制御シグナリングを生成してUEに送達するように構成された指示モジュールであって、制御シグナリングが構成指示情報を含み、構成指示情報が、構成選択モジュールによって選択された、かつアップリンクデータを送信するためのUEの送信レイヤのそれぞれのDMRS系列を生成するのに必要とされる、CSとOCC系列との組合せ構成を指示する、指示モジュールとを備える、アクセスネットワークデバイス。
【００１７】
アクセスネットワークデバイスによって送達された、構成指示情報を含む制御シグナリングを受信するように構成された受信モジュールであって、構成指示情報が、アップリンクデータを送信するためのUEの送信レイヤのそれぞれのDMRS系列を生成するのに必要とされるCSとOCC系列との組合せ構成を指示し、組合せ構成が、アップリンクデータを送信するためのUEの決定された送信レイヤ数に基づいて、CSとOCC系列との事前設定済みの複数の組合せ構成項目のうちの1つからアクセスネットワークデバイスによって選択され、組合せ構成項目が、システムによってサポート可能な最大送信レイヤ数に関して設定され、かつ送信レイヤのそれぞれのDMRS系列を生成するのに必要とされる、受信モジュールと、
受信モジュールによって受信された制御シグナリングに含まれる構成指示情報に従って、CSとOCC系列との事前設定済みの複数の組合せ構成項目からの、CSとOCC系列との組合せ構成を決定するように構成された構成決定モジュールであって、組合せ構成が、アクセスネットワークデバイスによって選択され、かつアップリンクデータを送信するためのUEの送信レイヤのそれぞれのDMRS系列を生成するのに必要とされ、組合せ構成項目が、システムによってサポート可能な最大送信レイヤ数に関して設定され、かつ送信レイヤのそれぞれのDMRS系列を生成するのに必要とされる、構成決定モジュールと、
構成決定モジュールによって決定された組合せ構成に対応するCSおよびOCC系列を使用して、アップリンクデータを送信するためのUEの送信レイヤのそれぞれのDMRS系列を生成するように構成された生成モジュールとを備える、ユーザ機器。
【００１８】
アクセスネットワークデバイスの実行可能指示を記憶するように構成された、アクセスネットワークデバイス中のコンピュータプログラムであって、
コンピュータ可読記憶媒体を備え、このコンピュータ可読記憶媒体が、
アップリンクデータを送信するためのユーザ機器(UE)の送信レイヤの数を決定するようコンピュータをトリガするように構成された第1のコードと、
決定された送信レイヤ数に基づいて、循環シフト(CS)と直交カバー符号(OCC)系列との事前設定済みの複数の組合せ構成項目のうちの1つから、アップリンクデータを送信するためのUEの送信レイヤのそれぞれの復調基準信号(DMRS)系列を生成するのに必要とされるCSとOCC系列との組合せ構成を選択するようコンピュータをトリガするように構成された第2のコードであって、組合せ構成項目が、システムによってサポート可能な最大送信レイヤ数に関して設定され、かつ送信レイヤのそれぞれのDMRS系列を生成するのに必要とされ、第1の構成条件が、事前設定済みの組合せ構成項目間で満たされ、第1の構成条件が、少なくとも2つの同じCSリソースで構成される組合せ構成項目間で、異なるOCC系列が構成されることを含む、第2のコードと、
制御シグナリングを生成してUEに送達するようコンピュータをトリガするように構成された第3のコードであって、制御シグナリングが構成指示情報を含み、構成指示情報が、アップリンクデータを送信するためのUEの送信レイヤのそれぞれのDMRS系列を生成するのに必要とされるCSとOCC系列との選択された組合せ構成を指示する、第3のコードとを含む、コンピュータプログラム。
【００１９】
ユーザ機器の実行可能指示を記憶するように構成された、ユーザ機器中のコンピュータプログラムであって、
コンピュータ可読記憶媒体を備え、このコンピュータ可読記憶媒体が、
アクセスネットワークデバイスによって送達された、構成指示情報を含む制御シグナリングを受信するようコンピュータをトリガするように構成された第1のコードであって、構成指示情報が、アップリンクデータを送信するためのユーザ機器(UE)の送信レイヤのそれぞれの復調基準信号(DMRS)系列を生成するのに必要とされる循環シフト(CS)リソースと直交カバー符号(OCC)系列リソースとの組合せ構成を指示し、組合せ構成が、アップリンクデータを送信するためのUEの決定された送信レイヤ数に基づいて、CSとOCC系列との事前設定済みの複数の組合せ構成項目のうちの1つからアクセスネットワークデバイスによって選択され、組合せ構成項目が、システムによってサポート可能な最大送信レイヤ数に関して設定され、かつ送信レイヤのそれぞれのDMRS系列を生成するのに必要とされる、第1のコードと、
受信モジュールによって受信された制御シグナリングに含まれる構成指示情報に従って、CSとOCC系列との事前設定済みの複数の組合せ構成項目からの、CSとOCC系列との組合せ構成を決定するようコンピュータをトリガするように構成された第2のコードであって、組合せ構成が、アクセスネットワークデバイスによって選択され、かつアップリンクデータを送信するためのUEの送信レイヤのそれぞれのDMRS系列を生成するのに必要とされ、組合せ構成項目が、システムによってサポート可能な最大送信レイヤ数に関して設定され、かつ送信レイヤのそれぞれのDMRS系列を生成するのに必要とされる、第2のコードと、
構成決定モジュールによって決定された組合せ構成に対応するCSおよびOCC系列を使用して、アップリンクデータを送信するためのUEの送信レイヤのそれぞれのDMRS系列を生成するようコンピュータをトリガするように構成された第3のコードとを含む、コンピュータプログラム。
【００２０】
通信システム中のアクセスネットワークデバイスまたはユーザ機器に適用可能なコンピュータ可読記憶媒体であって、CSとOCC系列との事前設定済みの複数の組合せ構成項目を記憶するように構成され、組合せ構成項目が、システムによってサポート可能な最大送信レイヤ数に関して設定され、かつ送信レイヤのそれぞれのDMRS系列を生成するのに必要とされ、第1の構成条件が、事前設定済みの組合せ構成項目間で満たされ、第1の構成条件が、少なくとも2つの同じCSリソースで構成される組合せ構成項目間で、異なるOCC系列が構成されることを含む、コンピュータ可読記憶媒体。
【発明の効果】
【００２１】
以上から、次のことがわかる。本発明の実施形態は、システムによってサポート可能な最大送信レイヤ数に関して、CSとOCC系列との複数の組合せ構成項目のみを事前設定すればよく、これらの組合せ構成項目は、送信レイヤのそれぞれのDMRS系列を生成するのに必要とされるものである。また、アップリンクデータを送信するためのUEの送信レイヤのそれぞれのDMRS系列を生成するのに必要とされるCSとOCC系列との組合せ構成は、事前設定済みの複数の組合せ構成項目のうちの1つの構成サブセットである。この実装モードは、DMRSを生成するのに使用可能なCSリソースとOCC系列リソースとの組合せ構成を生成することに関する標準化における記述の複雑さを単純化することができ、標準化およびシステマティックな実装が比較的容易である。それぞれの事前設定済みの組合せ構成項目中のCSリソースおよびOCC系列リソースの構成モードについて構成条件を設定することは、コードワード間のDMRS干渉を低減するのに有益である。
【００２２】
以下、本発明または従来技術の実施形態の技術的解決法をより明確に説明するために、本発明または従来技術を説明するのに使用される図面について簡単に述べる。自明だが、以下に述べる図面は、本発明のいくつかの実施形態を例示するに過ぎない。当業者にとっては、これらの図面に従って創意工夫なしに他の図面も容易に取得可能である。
【図面の簡単な説明】
【００２３】
【図１】LTE Rel-8のアップリンクDMRSのパイロット周波数構造の概略図である。
【図２】本発明の一実施形態による、復調基準信号のリソース構成方法のフローチャートである。
【図３】本発明の一実施形態によるアクセスネットワークデバイスの概略図である。
【図４】本発明の一実施形態によるユーザ機器の概略図である。
【発明を実施するための形態】
【００２４】
本発明の実施形態は、DMRSを生成するのに必要とされるCSとOCC系列との組合せ構成に関する仕様を記述する複雑さを単純化することができ、コードワードのDMRS間の干渉を低減することができる、復調基準信号のためのリソースを構成するための方法および関連するデバイスを提供する。
【００２５】
本発明の目的、特性、および利益をより明確にし、より容易に理解されるようにするために、以下では、本発明の実施形態の図を参照して、本発明の実施形態の技術的解決法について明確に述べる。明らかに、本明細書に述べる実施形態は、本発明の実施形態の全てではなく一部に過ぎない。本発明の実施形態に基づき創意工夫なしに当業者によってなされる他の全ての実施形態も、本発明の保護範囲内に含まれる。
【００２６】
第1の実施形態
以下、アクセスネットワークデバイスの面から、本発明の復調基準信号のリソース構成方法の一実施形態について述べる。この方法は、アップリンクデータを送信するための、ユーザ機器(UE)の送信レイヤの数を決定する段階と、決定された送信レイヤ数に基づいて、循環シフト(CS)と直交カバー符号(OCC)系列との事前設定済みの複数の組合せ構成項目のうちの1つから、アップリンクデータを送信するためのUEの送信レイヤのそれぞれの復調基準信号(DMRS)系列を生成するのに必要とされるCSとOCC系列との組合せ構成を選択する段階であって、組合せ構成項目が、システムによってサポート可能な最大送信レイヤ数に関して設定され、かつ送信レイヤのそれぞれのDMRS系列を生成するのに使用可能であり、第1の構成条件が、事前設定済みの組合せ構成項目のうちのいくつかの項目間で満たされ、第1の構成条件が、少なくとも2つの同じCSリソースで構成される組合せ構成項目間で、異なるOCC系列が構成されることを含む段階と、制御シグナリングを生成してUEに送達する段階であって、制御シグナリングが構成指示情報を含み、構成指示情報が、アップリンクデータを送信するためのUEの送信レイヤのそれぞれのDMRS系列を生成するのに必要とされるCSリソースとOCC系列リソースとの選択された組合せ構成を指示するものである段階とを含む。
【００２７】
図2を参照すると、具体的なステップは以下を含みうる。
【００２８】
210  アクセスネットワークデバイスが、アップリンクデータを送信するためのUEの送信レイヤの数を決定する。
【００２９】
実際には、アクセスネットワークデバイスは、実際の必要性とシステムによってサポート可能な最大送信レイヤ数とに基づいて、アップリンクデータを現在送信するためのUEの送信レイヤの数を決定することができ、決定された送信レイヤ数は、システムによってサポート可能な最大送信レイヤ数以下である。
【００３０】
220  アクセスネットワークデバイスが、決定された送信レイヤ数に基づいて、CSとOCC系列との事前設定済みの複数の組合せ構成項目のうちの1つから、アップリンクデータを送信するためのUEの送信レイヤのそれぞれのDMRS系列を生成するのに必要とされるCSとOCC系列との組合せ構成を選択する。組合せ構成項目は、システムによってサポート可能な最大送信レイヤ数に関して設定され、かつ、送信レイヤのそれぞれのDMRS系列を生成するのに使用可能なものである。
【００３１】
ある適用シナリオでは、送信レイヤのそれぞれのDMRS系列を生成するのに必要とされるCSとOCC系列との複数の組合せ構成項目は、システムによってサポート可能な最大送信レイヤ数に関して、アクセスネットワークおよびUE中で事前設定することができる。事前設定済みの複数の組合せ構成項目は、DMRSリソース構成テーブルに記録する(または別の形で記録する)ことができ、各組合せ構成項目は、DMRSリソース構成テーブルのエントリとして記録される。
【００３２】
第1の構成条件が、事前設定済みの組合せ構成項目間で満たされる。
【００３３】
第1の構成条件は、少なくとも2つの同じCSリソースで構成される組合せ構成項目間で、異なるOCC系列が構成されることを含む。
【００３４】
さらに、事前設定済みの各組合せ構成項目は、第2の構成条件または第3の構成条件を満たしてよい。第2の構成条件は、組合せ構成項目中で、同じコードワードにマッピングされる送信レイヤ(例えば2つの送信レイヤが同じコードワードにマッピングされる場合がある)に対応するCSリソース間の間隔が、異なるコードワードにマッピングされる送信レイヤに対応するCSリソース間の間隔よりも大きいことを含む。第3の構成条件は、組合せ構成項目中で、同じコードワードにマッピングされる異なる送信レイヤに対応するCSリソース間の間隔が、異なるコードワードにマッピングされる送信レイヤに対応するCSリソース間の間隔よりも小さい場合には、同じコードワードにマッピングされる異なる送信レイヤが、異なるOCC系列リソースで構成されることを含む。
【００３５】
アクセスネットワークデバイスは、決定された送信レイヤ数および現在の通信ステータスに基づいて、CSとOCC系列との事前設定済みの複数の組合せ構成項目のうちの1つから、アップリンクデータを送信するためのUEの送信レイヤのそれぞれのDMRS系列を生成するのに必要とされるCSとOCC系列との組合せ構成を選択することができる。組合せ構成項目は、システムによってサポート可能な最大送信レイヤ数に関して設定され、かつ送信レイヤのそれぞれのDMRS系列を生成するのに必要とされるものである。すなわち、選択された組合せ構成は、事前設定済みの複数の組合せ構成項目のうちの1つの構成サブセットである。
【００３６】
例えば、システムによってサポート可能な最大送信レイヤ数が4であり、アップリンクデータを送信するためのUEの送信レイヤの数が2である場合、アクセスネットワークデバイスは、CSとOCC系列との事前設定済みの複数の組合せ構成項目のうちの1つから、アップリンクデータを送信するためのUEの2つの送信レイヤのDMRS系列を生成するのに必要とされるCSとOCC系列との組合せ構成を選択することができ、組合せ構成項目は、4つの送信レイヤに関して事前設定済みであり、かつ送信レイヤのそれぞれのDMRS系列を生成するのに必要とされるものである。
【００３７】
実際には、リソース構成をよりフレキシブルに実施するために、送信レイヤ数と送信レイヤ選択モードとの間のマッピング関係を事前設定することができる(例えば、このマッピング関係は、UEまたはアクセスネットワークデバイス中で動的にまたは半静的に構成されてよい)。異なる送信レイヤ選択モードに基づいて、事前設定済みの組合せ構成項目のうちの1つから選択されるCSとOCC系列との組合せ構成は異なってよい。例えば、アップリンクデータを送信するためのUEの送信レイヤの数が2であると決定された場合、アクセスネットワークデバイスは、ある送信レイヤ選択モードに基づいて、事前設定済みの組合せ構成項目のうちの1つから、送信レイヤ0および1に対応するCSとOCC系列との組合せ構成を選択し、選択した組合せ構成を、アップリンクデータを送信するためのUEの送信レイヤ0および1に対応するCSとOCC系列との組合せ構成として使用することができる。別法として、アクセスネットワークデバイスは、別の送信レイヤ選択モードに基づいて、事前設定済みの組合せ構成項目のうちの1つから、送信レイヤ0および2(または、送信レイヤ0および3、もしくは送信レイヤ1および2、もしくは送信レイヤ2および3)に対応するCSとOCC系列との組合せ構成を選択し、選択した組合せ構成を、アップリンクデータを送信するためのUEの送信レイヤ0および1に対応するCSとOCC系列との組合せ構成として使用することができる。残りは、他の送信レイヤ番号についての類推によって演繹することができる。
【００３８】
230  アクセスネットワークデバイスが、制御シグナリングを生成してUEに送達する。制御シグナリングは構成指示情報を含み、構成指示情報は、アップリンクデータを送信するためのUEの送信レイヤのそれぞれのDMRS系列を生成するのに必要とされるCSとOCC系列との選択された組合せ構成を指示する。
【００３９】
ある適用シナリオでは、事前設定済みの複数の組合せ構成項目に、異なる項目番号を割り振ることができ、項目番号によって、異なる組合せ構成項目を区別することができる。
【００４０】
上記の制御シグナリングに含まれる構成指示情報は、決定された送信レイヤ数と、アップリンクデータを送信するためのUEの送信レイヤのそれぞれのDMRS系列を生成するのに必要とされるCSリソースとOCC系列リソースの組合せ構成の選択元である組合せ構成項目に対応する項目番号とを含んでよい。UEは、項目番号および送信レイヤ数に基づいて、CSとOCC系列との事前設定済みの複数の組合せ構成項目からの、CSとOCC系列との組合せ構成を決定することができ、組合せ構成は、アクセスネットワークデバイスによって選択され、かつアップリンクデータを送信するためのUEの送信レイヤのそれぞれのDMRS系列を生成するのに必要とされるものであり、組合せ構成項目は、システムによってサポート可能な最大送信レイヤ数に関して設定され、かつ送信レイヤのそれぞれのDMRS系列を生成するのに使用可能なものである。前述の制御シグナリングに含まれる構成指示情報はまた、指示される対応する組合せ構成をUEに知らせることのできる他の情報であってもよいことを、理解することができる。
【００４１】
ある適用シナリオでは、UEは、アクセスネットワークデバイスによって送達された、構成指示情報を含む制御シグナリングを受信する。構成指示情報は、アップリンクデータを送信するためのUEの送信レイヤのそれぞれのDMRS系列を生成するのに必要とされるCSとOCC系列との組合せ構成を示すのに使用される。組合せ構成は、決定された送信レイヤ数に基づいて、CSとOCC系列との事前設定済みの複数の組合せ構成項目のうちの1つからアクセスネットワークデバイスによって選択されるものであり、組合せ構成項目は、システムによってサポート可能な最大送信レイヤ数に関して設定され、かつ送信レイヤのそれぞれのDMRS系列を生成するのに必要とされるものである。UEは、構成指示情報に従って、CSとOCC系列との事前設定済みの複数の組合せ構成項目からの、CSとOCC系列との組合せ構成を決定し、組合せ構成は、アクセスネットワークデバイスによって選択され、かつアップリンクデータを送信するためのUEの送信レイヤのそれぞれのDMRS系列を生成するのに必要とされるものであり、組合せ構成項目は、システムによってサポート可能な最大送信レイヤ数に関して設定され、かつ送信レイヤのそれぞれのDMRS系列を生成するのに必要とされるものである。次いで、UEは、決定された組合せ構成に対応するCSおよびOCC系列を使用して、アップリンクデータを送信するためのUEの送信レイヤのそれぞれのDMRS系列を生成する。
【００４２】
さらに、アクセスネットワークデバイスは、アップリンクデータを送信するためのUEのそれぞれの送信レイヤのDMRS系列を生成するのに必要とされる選択された組合せ構成中のOCC系列リソースを使用して、UEによって使用されるDMRS系列グループホッピングモードを指示することができる。アップリンクデータを送信するためのUEのそれぞれの送信レイヤのDMRS系列を生成するのに必要な選択された組合せ構成中のOCC系列リソースが同じである場合は、アクセスネットワークデバイスは、サブフレーム間DMRS系列グループホッピングモードがUEによって採用されるよう指示することができる。アップリンクデータを送信するためのUEのそれぞれの送信レイヤのDMRS系列を生成するのに必要とされる選択された組合せ構成中のOCC系列リソースが異なる場合は、アクセスネットワークデバイスは、スロット間DMRS系列グループホッピングモード(またはサブフレーム間DMRS系列グループホッピングモード)を指示することができる。このような場合、UEは、アップリンクデータを送信するための送信レイヤのそれぞれのDMRS系列を生成するのに使用可能な選択された組合せ構成中の決定されたOCC系列リソースに基づいて、DMRS系列グループホッピングモードを決定することができる。
【００４３】
加えて、項目番号とDMRS系列グループホッピングモードとの間のマッピング関係を、事前設定することができる。アクセスネットワークデバイスは、事前設定済みのそれぞれの組合せ構成項目に対応する各項目番号と、DMRS系列グループホッピングモードとの間のマッピング関係に基づいて、構成指示情報に含まれる項目番号を使用して、UEによって使用されるべきDMRS系列グループホッピングモードを指示することができる。DMRS系列グループホッピングモードは、スロット間DMRS系列グループホッピングモード、またはサブフレーム間DMRS系列グループホッピングモードを含みうる。このような場合、UEは、受信した制御シグナリング中の構成指示情報に含まれる項目番号に基づいて、DMRS系列グループホッピングモードを決定することができる。
【００４４】
さらに、UEの決定された送信レイヤ数が2よりも多い場合は、アクセスネットワークデバイスは、選択された組合せ構成中にある、かつ同じ利用可能CSリソースセットを採用する2つの送信レイヤに対応する、CSリソースを使用して、UEに割り振られる2つのHARQフィードバックチャネルリソースを指示することができる。
【００４５】
本実施形態の技術的解決法は特にアクセスネットワークデバイス上で実現できることを、理解することができる。アクセスネットワークデバイスは、基地局、エボリューション基地局、または、ワイヤレスバックホール能力を有する他のアクセスネットワークデバイスとすることができる。
【００４６】
以上からわかるように、本実施形態は、システムによってサポート可能な最大送信レイヤ数に関して、CSとOCC系列との複数の組合せ構成項目のみを事前設定すればよく、これらの組合せ構成項目は、送信レイヤのそれぞれのDMRS系列を生成するのに必要とされるものである。また、アップリンクデータを送信するためのUEの送信レイヤのそれぞれのDMRS系列を生成するのに必要とされるCSとOCC系列との組合せ構成は、事前設定済みの複数の組合せ構成項目のうちの1つの構成サブセットである。この実装形態は、DMRSを生成するのに使用可能なCSリソースとOCC系列リソースとの組合せ構成を生成することに関する標準化における記述の複雑さを低減することができる。それぞれの事前設定済みの組合せ構成項目中のCSおよびOCC系列の構成モードについて構成条件を設定することは、コードワード間のDMRS干渉を低減するのに有益である。
【００４７】
第2の実施形態
以下、ユーザ機器の面から、本発明の復調基準信号のリソース構成方法の別の実施形態について述べる。この方法は以下のステップを含みうる。
【００４８】
アクセスネットワークデバイスによって送達された、構成指示情報を含む制御シグナリングを受信する。構成指示情報は、アップリンクデータを送信するためのUEの送信レイヤのそれぞれのDMRS系列を生成するのに必要とされるCSリソースとOCC系列リソースとの組合せ構成を指示し、組合せ構成は、アップリンクデータを送信するためのUEの決定された送信レイヤ数に基づいて、CSとOCC系列との事前設定済みの複数の組合せ構成項目のうちの1つからアクセスネットワークデバイスによって選択されるものであり、組合せ構成項目は、システムによってサポート可能な最大送信レイヤ数に関して設定され、かつ送信レイヤのそれぞれのDMRS系列を生成するのに使用可能なものである。構成指示情報に従って、CSとOCC系列との事前設定済みの複数の組合せ構成項目からの、CSとOCC系列との組合せ構成を決定する。組合せ構成は、アクセスネットワークデバイスによって選択され、かつアップリンクデータを送信するためのUEの送信レイヤのそれぞれのDMRS系列を生成するのに必要とされるものであり、組合せ構成項目は、システムによってサポート可能な最大送信レイヤ数に関して設定され、かつ送信レイヤのそれぞれのDMRS系列を生成するのに使用可能なものである。決定された組合せ構成に対応するCSリソースおよびOCC系列リソースを使用して、アップリンクデータを送信するためのUEの送信レイヤのそれぞれのDMRS系列を生成する。
【００４９】
さらに、UEは、決定された組合せ構成中のOCC系列に基づいて、採用すべきDMRS系列グループホッピングモードを決定することができる。決定された組合せ構成中のそれぞれの送信レイヤに対応するOCC系列リソース構成が同じである場合は、UEは、サブフレーム間DMRS系列グループホッピングモードを採用すると決定する。決定された組合せ構成中のそれぞれの送信レイヤに対応するOCC系列リソース構成が異なる場合は、UEは、スロット間DMRS系列グループホッピングモードを採用すると決定する。
【００５０】
ある適用シナリオでは、受信された制御シグナリングに含まれる構成指示情報が、アップリンクデータを送信するためのUEの送信レイヤの数と、アップリンクデータを送信するためのUEの送信レイヤのそれぞれのDMRS系列を生成するのに必要とされるCSリソースとOCC系列リソースとの組合せ構成の選択元である組合せ構成項目に対応する項目番号とを含むと仮定する。このような場合、各項目番号とDMRS系列グループホッピングモードとの間に確立されるマッピング関係が事前設定済みならば、UEは、受信した制御シグナリング中の構成指示情報に含まれる項目番号に基づいて、DMRS系列グループホッピングモードを決定することができる。
【００５１】
さらに、アップリンクデータを送信するための送信レイヤの数が2よりも多い場合は、HARQフィードバックチャネルリソースと、選択された組合せ構成中の、かつ同じ利用可能CSリソースセットを採用する2つの送信レイヤに対応する、CSリソースとの間のマッピング関係に基づいて、アクセスネットワークデバイスによって割り振られた2つのHARQフィードバックチャネルリソースを決定する。
【００５２】
以上からわかるように、本実施形態は、システムによってサポート可能な最大送信レイヤ数に関して、CSとOCC系列との複数の組合せ構成項目のみを事前設定すればよく、これらの組合せ構成項目は、送信レイヤのそれぞれのDMRS系列を生成するのに必要とされるものである。また、アップリンクデータを送信するためのUEの送信レイヤのそれぞれのDMRS系列を生成するのに必要とされるCSとOCC系列との組合せ構成は、事前設定済みの複数の組合せ構成項目のうちの1つの構成サブセットである。この実装形態は、DMRSを生成するのに使用可能なCSリソースとOCC系列リソースとの組合せ構成を生成することに関する標準化における記述の複雑さを低減することができる。それぞれの事前設定済みの組合せ構成項目中のCSおよびOCC系列の構成モードについて構成条件を設定することは、コードワード間のDMRS干渉を低減するのに有益である。
【００５３】
第3の実施形態
本発明の実施形態の技術的解決法のよりよい理解の助けとするために、以下、CSリソースとOCCリソースとの事前設定済みの複数の組合せ構成項目について述べる。これらの組合せ構成項目は、システムによってサポート可能な最大送信レイヤ数に関して設定され、かつ送信レイヤのそれぞれのDMRS系列を生成するのに使用可能なものである。加えて、アップリンクデータを送信するためのUEの送信レイヤのそれぞれのDMRS系列を生成するのに必要とされるCSリソースとOCC系列リソースとの組合せ構成は、事前設定済みの複数の組合せ構成項目のうちの1つの構成サブセットである。
【００５４】
例えば、システムによってサポート可能な最大送信レイヤ数は4であり、すなわち最大ランク値は4であり、CSリソースの値範囲は0〜11であり、利用可能なOCC系列は{1,1}、{1,-1}である。Table 2(表2)に、システムによってサポート可能な最大送信レイヤ数に関してアクセスネットワークデバイスおよびユーザ機器中で事前設定される組合せ構成項目を示すが、これらの組合せ構成項目は、送信レイヤのそれぞれのDMRS系列を生成するのに使用可能なものである。
【００５５】
【表２】
2013543287.tif 000004
【００５６】
4つのシナリオに従った記述を以下に提供する。
【００５７】
(1)
アップリンクデータを送信するためのUEの送信レイヤの数が1である、すなわちランク=1であるとアクセスネットワークデバイスが決定した場合、アクセスネットワークデバイスは、アップリンクデータを送信するためのUEの送信レイヤのそれぞれのDMRS系列を生成するのに必要とされるCSとOCC系列との組合せ構成として、事前設定済みのTable 2(表2)から、Table 3(表3)中のいずれか1つのエントリに対応するCSとOCC系列との組合せ構成を選択することができる。
【００５８】
【表３】
2013543287.tif 000005
【００５９】
Table 3(表3)で、送信レイヤ0に対応するCSリソース構成は、LTE Rel-8の単一レイヤトランスポートのDMRS CSリソース構成と同じであり、これは、後方互換性を達成し、また、同じネットワーク中におけるLTE-AdvancedのUEとLTE Rel-8のUEとの共存をよくサポートすることができる。
【００６０】
MU-MIMO送信をサポートするには、対をなすUEに、異なるCSリソースを割り振る必要がある。Table 3(表3)のCS構成では、CS=2、3、4およびCS=8、9、10の組合せ構成項目の間で、CSリソース間の間隔は1しかない。本発明の実施形態では、チャネルが著しい時間遅延を有する環境では、CSリソース間隔の比較的小さい(設定された間隔しきい値(例えば1または2)未満)それぞれの組合せ構成項目間の直交性を保証することができないと考える。したがって、間隔が比較的小さいCSリソースに対しては、異なるOCC系列リソースを構成して直交性を高める。例えば、CS=3に対応する構成されたOCC系列リソースは{1,-1}であり、CS=2および4に対応するOCC系列は{1,1}である。例えば、CS=9に対応する構成されたOCC系列リソースは{1,-1}であり、CS=8および10に対応するOCC系列リソースは{1,1}である。他のCS構成間の間隔は全て2以上なので、それぞれの組合せ構成項目間の直交性は保証される。
【００６１】
さらに、CS間隔が2であるそれぞれの組合せ構成項目のための保護を高める場合は、修正を加えることができる。例として、Table 3(表3)中のCS=0およびCS=6に対応する構成されたOCC系列リソースを、例えば{1,-1}として修正することができる。
【００６２】
(2)
アップリンクデータを送信するためのUEの送信レイヤの数が2である、すなわちランク=2であるとアクセスネットワークデバイスが決定した場合、アクセスネットワークデバイスは、アップリンクデータを送信するためのUEの送信レイヤのそれぞれのDMRS系列を生成するのに必要とされるCSとOCC系列との組合せ構成として、事前設定済みのTable 2(表2)から、Table 4(表4)中のいずれか1つのエントリに対応するCSとOCC系列との組合せ構成を選択することができる。
【００６３】
【表４】
2013543287.tif 000006
【００６４】
Table 4(表4)で、任意の組合せ構成中の2つの送信レイヤ(送信レイヤ0と1)のCS間隔は6であり、すなわちCSの値範囲内の最大間隔であり、これは最適なCS直交性を達成することができる。
【００６５】
実際には、MU-MIMOスケジューリングを考えると、対をなすUEは、OCC系列を通してDMRS直交性を達成する必要がある。この場合、同じUEの2つの送信レイヤについては、OCC系列を使用してDMRS直交性を達成することはできない。例えば、送信レイヤ0と送信レイヤ1とが、同じOCC系列を使用することができる。
【００６６】
Table 4(表4)では、異なる組合せ構成項目が、異なる送信レイヤに対応する同じCSリソースを含むという状況もまたありうる。例えば、Table 4(表4)の項目番号0および1に対応する組合せ構成項目中では、構成されたCSリソースはそれぞれ{0,6}および{6,0}である。項目番号2および7に対応する組合せ構成項目中では、構成されたCSリソースはそれぞれ{3,9}および{9,3}である。同じCSリソースを含むそれぞれの組合せ構成項目については、それらに対応して構成されるOCC系列を、レイヤ間直交に設定することができる。例えば、項目番号0に対応する組合せ構成項目中では、2つの送信レイヤによって使用されるOCC系列をそれぞれ{1,1}および{1,1}に設定することができ、それに対して、項目番号1に対応する組合せ構成項目中では、2つの送信レイヤによって使用されるOCC系列をそれぞれ{1,1}および{1,-1}に設定することができる。このようにして、単一UEの2レイヤ送信では、レイヤ間DMRS直交性をよりよく達成することができる。チャネル時間遅延が比較的著しいUEの場合、異なる送信レイヤに対して異なるOCC系列を構成することができる。加えて、同じCSリソースを含む構成項目がMU-MIMO送信をサポートできるようにするために、異なるOCCリソースがこれらの構成項目によって使用されてよい。例えば、項目番号0に対応する組合せ構成項目中では、2つの送信レイヤによって使用されるOCC系列をそれぞれ{1,1}および{1,1}に設定することができ、項目番号1に対応する組合せ構成項目中では、2つの送信レイヤによって使用されるOCC系列をそれぞれ{1,1}および{1,-1}に設定することができる。
【００６７】
(3)
アップリンクデータを送信するためのUEの送信レイヤの数が3である、すなわちランク=3であるとアクセスネットワークデバイスが決定した場合、アクセスネットワークデバイスは、アップリンクデータを送信するためのUEの送信レイヤのそれぞれのDMRS系列を生成するのに必要とされるCSリソースとOCC系列リソースとの組合せ構成として、事前設定済みのTable 2(表2)から、Table 5(表5)中のいずれか1つのエントリに対応するCSとOCC系列との組合せ構成を選択することができる。
【００６８】
【表５】
2013543287.tif 000007
【００６９】
Table 5(表5)で、各組合せ構成中の送信レイヤ0と送信レイヤ1との間のCS間隔は6であり、ランク=2のCS間隔と同じである。送信レイヤ2と送信レイヤ0との間のCS間隔、および送信レイヤ2と送信レイヤ1との間のCS間隔は、全て3である。この間隔は、CSの値範囲内の最大構成可能間隔であり、最適なCS直交性を達成する。このような場合、任意の2つの異なる送信レイヤ間のCS間隔は異なり、他の送信レイヤに対してCS間隔の比較的小さい送信レイヤについては、他の送信レイヤのOCC系列と異なるOCC系列を構成して、それらのDMRS系列の直交性を高めることができる。加えて、OCC直交性を伴うMU-MIMOスケジューリングをサポートするには、同じUEの複数の送信レイヤが、同じOCC系列を使用する必要がある。単一UEのMIMOのレイヤ間DMRS直交性、およびMU-MIMO UE間のDMRS直交性の需要を満たすために、同じCSリソースを含む構成項目中で、または同じCSリソースを含む構成項目の一部の中で、異なるOCC系列構成モードを使用することができる。例えば、項目番号0および項目番号1に対応する組合せ構成項目の両方がCSリソース{0,6}を含む場合は、項目番号0に対応する組合せ構成項目中では、異なる送信レイヤが同一のOCC系列を使用するように設定し、項目番号1に対応する組合せ構成中では、送信レイヤ2に対するOCC系列が他の2つの送信レイヤに対するOCC系列と異なるように設定する。同様に、同じCSリソースを含む構成項目がMU-MIMO送信をサポートできるようにするには、異なるOCCリソースがこれらの構成項目によって使用されてよい。例えば、項目番号0に対応する組合せ構成項目中では、3つの送信レイヤによって使用されるOCC系列が全て{1,1}であるように設定することができ、それに対して、項目番号2に対応する組合せ構成項目中では、3つの送信レイヤによって使用されるOCC系列が全て{1,-1}であるように設定することができる。
【００７０】
(4)
アップリンクデータを送信するためのUEの送信レイヤの数が4である、すなわちランク=4であるとアクセスネットワークデバイスが決定した場合、アクセスネットワークデバイスは、アップリンクデータを送信するためのUEの送信レイヤのそれぞれのDMRS系列を生成するのに必要とされるCSとOCC系列との組合せ構成として、事前設定済みのTable 2(表2)から、いずれか1つのエントリに対応するCSとOCC系列との組合せ構成を選択することができる。
【００７１】
送信レイヤ0〜2に対応するCSおよびOCCリソース構成は、ランク=3の構成と同じである。
【００７２】
LTE-Advanced送信レイヤとコードワードとのマッピング関係に従えば、送信レイヤ0および1はコードワード0にマッピングされ、送信レイヤ2および3はコードワード1にマッピングされる。
【００７３】
Table 2(表2)で、各組合せ構成の下で同じコードワードにマッピングされる2つの送信レイヤ間のCS間隔は6であることがわかる。この構成により、送信レイヤ間のCS間隔は、単一のコードワードが非適応的に再送されるときも依然として最大であることができる。したがって、再送されるDMRSリソースの直交性が保証される。
【００７４】
さらに、Table 2(表2)で、異なるコードワードにマッピングされる送信レイヤ間のCS間隔は3であり、これは、同じコードワードにマッピングされる2つの送信レイヤ間のCS間隔よりも小さい(すなわち第2の構成条件が満たされる)。したがって、OCC系列を使用して直交性を高めることができる。
【００７５】
OCC系列の直交性を伴うMU-MIMOスケジューリングをサポートするには、異なる送信レイヤが同じOCC系列を使用する構成もまた必要とされる。したがって、少なくとも2つの同じCSリソース構成を含む(完全にまたは部分的に同じCSリソース構成を含む)それぞれの組合せ構成項目中で、異なるOCC系列リソース構成モードを使用することができる。例えば、Table 2(表2)で、項目番号0および1に対応する組合せ構成項目は全て、CSリソース{0,3,6,9}を含むが、この場合、項目番号0に対応する組合せ構成項目中では、異なる送信レイヤが同じOCC系列リソースを使用し、項目番号1に対応する組合せ構成項目中では、送信レイヤ2および3に対して構成されたOCC系列は、送信レイヤ0および1に対して構成されたOCC系列とは異なる。
【００７６】
アクセスネットワークデバイスは、制御シグナリングを生成してUEに送達することができる。制御シグナリングは構成指示情報を含んでよく、構成指示情報は、アップリンクデータを送信するためのUEの送信レイヤのそれぞれのDMRS系列を生成するのに必要とされるCSリソースとOCC系列リソースとの選択された組合せ構成を指示するのに使用される。
【００７７】
構成指示情報は、決定された送信レイヤ数と、アップリンクデータを送信するためのUEの送信レイヤのそれぞれのDMRS系列を生成するのに必要とされるCSリソースとOCC系列リソースとの組合せ構成の選択元である組合せ構成項目(0〜7のいずれか1つ)に対応する項目番号とを含んでよい。
【００７８】
UEは、構成指示情報を含みアクセスネットワークデバイスによって送達された制御シグナリングを受信する。UEは、構成指示情報(送信レイヤ数と、選択された組合せ構成項目に対応する項目番号)に従って、CSとOCC系列との事前設定済みの複数の組合せ構成項目からの、CSとOCC系列との組合せ構成を決定する。組合せ構成は、アクセスネットワークデバイスによって選択され、かつアップリンクデータを送信するためのUEの送信レイヤのそれぞれのDMRS系列を生成するのに必要とされるものである。また、組合せ構成項目は、システムによってサポート可能な最大送信レイヤ数に関して設定され、かつ送信レイヤのそれぞれのDMRS系列を生成するのに必要とされるものである。UEは、構成決定モジュールによって決定された組合せ構成に対応するCSおよびOCC系列を使用して、アップリンクデータを送信するためのUEの送信レイヤのそれぞれのDMRS系列を生成する。
【００７９】
第4の実施形態
本実施形態では、送信レイヤのそれぞれのDMRS系列を生成するのに使用可能なCSリソースとOCCリソースとの複数の組合せ構成項目は、システムによってサポート可能な最大送信レイヤ数に関して事前設定される。
【００８０】
それぞれの組合せ構成項目中で、CS間隔の比較的小さい組合せ構成項目の間で異なるOCC系列リソースが構成されて、DMRSの直交性が高められる。
【００８１】
例えば、Table 2(表2)に関してTable 6(表6)に示すように、ランク=1のとき、CS間隔が3未満であるそれぞれの組合せ構成項目に、異なるOCC系列が使用される。他のランク値に対応するCSおよびOCCリソース構成モードは、第3の実施形態と同様である。
【００８２】
【表６】
2013543287.tif 000008
【００８３】
本実施形態のアクセスネットワークデバイスおよびUEの処理モードについては、第3の実施形態における関連の記述を参照することによって知ることができ、したがってここでは述べない。
【００８４】
第5の実施形態
本実施形態では、送信レイヤのそれぞれのDMRS系列を生成するのに必要とされるCSリソースとOCCリソースとの複数の組合せ構成項目は、システムによってサポート可能な最大送信レイヤ数に関して事前設定される。
【００８５】
事前設定されたそれぞれの組合せ構成項目は、少なくとも2つの同じCSリソースを含む組合せ構成項目間で、異なるOCC系列が構成されること(第1の構成条件)を満たす。このモードは、単一UEのレイヤ間DMRS直交性を最適化してMU-MIMO UE間のDMRSのOCC直交性を達成するのに使用することができる。
【００８６】
例えば、Table 7(表7)に示すように、ランク=2のとき、同一のCSリソースを含む組合せ構成項目は、異なるOCC系列リソース構成モードを使用する。
【００８７】
【表７】
2013543287.tif 000009
【００８８】
Table 7(表7)に示すように、小さいランク値に対する組合せ構成が、大きいランク値に対する組合せ構成の構成サブセットであることを達成するには、番号1、5、6、7に対応する構成項目など、事前設定済みの組合せ構成項目中で、同じCSリソースを有する送信レイヤに対して、同じまたは異なるOCC系列を設定することができる。
【００８９】
本実施形態のアクセスネットワークデバイスおよびUEの処理モードについては、第3の実施形態における関連の記述を参照することによって知ることができ、したがってここでは述べない。
【００９０】
第6の実施形態
本実施形態では、リソース構成をよりフレキシブルに達成するために、送信レイヤ数と送信レイヤ選択モードとの間のマッピング関係を事前設定することができる(すなわち、異なるランク値に対応する、同じまたは異なる送信レイヤ選択モードが、それぞれ事前定義される)。これは、異なるランク値の下で、同じ送信レイヤ番号が、同じまたは異なるCSおよびOCCリソース構成を使用しうることを達成することができる。
【００９１】
異なるランク値の下で、同じ送信レイヤ番号は、同じCSおよびOCCリソース構成を使用するシナリオに対応する。すなわち、小さい送信レイヤ番号から大きい送信レイヤ番号への選択を実施する。
【００９２】
例えば、ランク=4が事前設定された場合の組合せ構成項目中で、その送信レイヤ0のCSリソースとOCC系列リソースとの組合せ構成はまた、ランク=1、ランク=2、およびランク=3の下で選択される、送信レイヤ0によって使用されるCSおよびOCC構成でもあり、その送信レイヤ1の構成はまた、ランク=2およびランク=3の下で選択される、送信レイヤ1によって使用されるCSおよびOCCリソース構成でもある。
【００９３】
異なるランク値の下で、同一の送信レイヤ番号は、異なるCSおよびOCCリソース構成を使用するシナリオに対応する。すなわち、小さい送信レイヤ番号から大きい送信レイヤ番号への選択を実施しない。
【００９４】
例えば、ランク=1に対するCSとOCC系列との組合せ構成は、事前設定済みの構成項目中の送信レイヤ0、または送信レイヤ1、または他の送信レイヤによって使用されるCSおよびOCCリソース構成として定義することができる。
【００９５】
ランク=2に対するCSおよびOCC系列リソース構成は、事前設定済みの組合せ構成項目中の送信レイヤ0と送信レイヤ1、2、もしくは3、または送信レイヤ1と2、または他の2つの異なる送信レイヤの組合せによって使用されるCSおよびOCCリソース構成として定義される。
【００９６】
ランク=3に対するCSおよびOCC系列リソース構成は、事前設定済みの構成中の送信レイヤ0、1、2、または送信レイヤ2、3、4、または送信レイヤ1、3、4、または他の3つの異なる送信レイヤの組合せによって使用されるCSおよびOCCリソース構成として定義される。
【００９７】
システムは、送信レイヤ数と送信レイヤ選択モードとの間のマッピング関係を、同時に複数サポートすることができる。アクセスネットワークデバイスは、動的または半静的な構成モードにおいて、送信レイヤ数と送信レイヤ選択モードとの間の現在使用されているマッピング関係を、UEまたはネットワークに知らせることができる。
【００９８】
第7の実施形態
本実施形態では、アクセスネットワークデバイスは、DMRS系列グループホッピングモードをUEに指示する。
【００９９】
ある適用シナリオでは、OCC直交性が使用されるとき、スロット間DMRS系列グループホッピングモードは使用されない。このような場合は、サブフレーム間DMRS系列グループホッピングモードを使用して、セル間DMRS干渉をランダム化されたままに維持することができる。アクセスネットワークデバイスは、スロット間系列グループホッピングおよびサブフレーム間系列グループホッピングを、異なるUEにそれぞれ割り振り、制御シグナリングを介してUEに通知することができる。
【０１００】
DMRS系列グループホッピングモードの構成はまた、CSリソースおよびOCCリソースと共に、アクセスネットワークデバイスのDMRSリソース構成の一部として構成することもできる。
【０１０１】
アクセスネットワークデバイスは、アップリンクデータを送信するためのUEのそれぞれの送信レイヤのDMRS系列を生成するのに必要とされる選択された組合せ構成中のOCC系列リソースを使用して、UEによって採用されるべきDMRS系列グループホッピングモードを指示することができる。
【０１０２】
例えば、Table 8(表8)に示すように、アクセスネットワークデバイスによって選択された、アップリンクデータを送信するためのUEの送信レイヤのそれぞれのDMRS系列を生成するのに必要とされる選択された組合せ構成中のOCC系列リソースが、同じである場合(すなわち、全ての送信レイヤによって使用されるOCC系列が同じである組合せ構成)は、サブフレーム間DMRS系列グループホッピングモードを採用するようUEに指示する。
【０１０３】
アクセスネットワークデバイスによって選択された、アップリンクデータを送信するためのUEの送信レイヤのそれぞれのDMRS系列を生成するのに必要とされるOCC系列リソース構成が、異なる場合(すなわち、全ての送信レイヤによって使用されるOCC系列が異なる組合せ構成)は、スロット間DMRS系列グループホッピングモードまたはサブフレーム間DMRS系列グループホッピングモードを採用するようUEに指示する。
【０１０４】
このような場合、UEは、アップリンクデータを送信するためのUEの送信レイヤのそれぞれのDMRS系列を生成するのに必要とされるOCC系列リソース構成を決定した後、決定したOCC構成に基づいてDMRS系列グループホッピングモードを決定することができる。
【０１０５】
例えば、Table 8(表8)に示すように、項目番号0、2、3、4のDMRS組合せ構成項目は、サブフレーム間ホッピングとして構成することができ、他の組合せ構成項目は、スロット間ホッピング(またはサブフレーム間ホッピング)として構成することができる。
【０１０６】
【表８】
2013543287.tif 000010
【０１０７】
加えて、実際のシステムでは、MU-MIMOの対をなすUEの最大送信レイヤ数は、制限を受ける(例えば、最大でランク=2の送信を実施することができる)。したがって、系列グループホッピングモードは、DMRSリソース構成中の送信レイヤの一部のOCC構成に従って設定することができる。例えば、DMRS系列グループホッピングモードは、送信レイヤ0および送信レイヤ1のOCC構成のみに従って設定することができる。2つの送信レイヤのOCC系列が同一である場合は、スロット間ホッピングまたはサブフレーム間ホッピングを構成することができる。2つの送信レイヤのOCC系列が異なる場合は、スロット間ホッピングを構成することができる。一方、サブフレーム間ホッピングで構成される、DMRSリソースの組合せ構成項目は、異なるOCC系列を使用する構成を含むべきである。Table 9(表9)に示すように、構成番号0、1、4、5のDMRS構成はサブフレーム間ホッピングで構成され、構成0および1によって使用されるOCCは{1,-1}であり、構成4および5によって使用されるOCCは{1,1}である。他の具体的なCSおよびOCC構成テーブルについては、同じ原理に従って系列グループホッピングモード構成を追加することができる。
【０１０８】
別の適用シナリオでは、DMRS系列グループホッピングモードと、事前設定済みのそれぞれの組合せ構成項目の各項目番号との間のマッピング関係を事前設定することができる。すなわち、同じ組合せ構成項目の下で、異なるランク値が、同一の系列グループホッピングモードを使用する。また、これらのホッピングモードは、それぞれのランク値の下でのOCCリソース構成に基づいて、適応的に変更することができる。Table 9(表9)で、ランク=1、3、または4のときは、リストされている系列グループホッピングモード構成が使用される。ランク=2のときは、全てのリソース構成オプション中の異なる送信レイヤが同一のOCC系列を使用するので、全ての構成オプションはサブフレーム間系列グループホッピングを使用することができる。ホッピングモード構成はOCC構成によって決定されるので、種々のランク値の下で系列グループホッピングモードが適応的に変更されても、追加のシグナリングオーバヘッドを被ることはない。
【０１０９】
【表９】
2013543287.tif 000011
【０１１０】
上記からわかるように、本実施形態では、アクセスネットワークデバイスは、追加のシグナリングを加えることなく、UEのOCC間の系列グループホッピングモードを構成することができる。
【０１１１】
第8の実施形態
本実施形態では、アクセスネットワークデバイスは、HARQフィードバックチャネルのリソース位置をUEに指示する。
【０１１２】
LTE-AシステムでUL MIMO送信を採用するときは、1つのUEに2つのHARQフィードバックチャネルを割り振る必要があり、2つのHARQフィードバックチャネルはそれぞれ、データ送信ブロックに対応する。
【０１１３】
CSリソース構成とCSリソース番号との間のマッピング関係を定義することができる。HARQフィードバックチャネルのリソース位置は、選択された組合せ構成中の、かつ、同じ利用可能CSリソースセットを採用する2つの送信レイヤに対応する、CSリソースを使用して、UEに指示することができる。
【０１１４】
例えば、上記の実施形態のそれぞれの構成テーブル中で、送信レイヤ0および1の利用可能CSリソースセットは{0,2,3,4,6,8,9,10}であり、CSリソースによってマッピングされる組合せ構成項目の項目番号は異なる。CSリソース構成とCSリソース番号との間のマッピング関係を定義することができる(例えばTable 10(表10)に示すように)。
【０１１５】
【表１０】
2013543287.tif 000012
【０１１６】
アクセスネットワークデバイスは、選択された組合せ構成中の、かつ、同じ利用可能CSリソースセットを採用する2つの送信レイヤに対応する、CSリソースを使用して、UEに割り振られる2つのHARQフィードバックチャネルリソースを指示することができる。UEは、定義されたマッピング関係に基づいて、送信レイヤ0および1のCSリソース構成に対応するCSリソース番号をそれぞれ生成して(Table 11(表11)に示すように)、CSリソース番号を現在のHARQフィードバックチャネル割振り式にそれぞれ適用することができ、割り振られたHARQフィードバックチャネルリソースを決定することができる。
【０１１７】
例えば、アクセスネットワークデバイスが、項目番号0の組合せ構成項目を使用するようUEに知らせたときは、それに対応するCSリソース構成中で、送信レイヤ0はCS=0を使用し、送信レイヤ1はCS=6を使用する。UEは、Table 10(表10)に定義されるCSリソース構成とCSリソース番号との間のマッピング関係に基づいて、2つの送信レイヤのCSリソース構成に対応するCSリソース番号が0および1であると決定することができる(Table 11(表11)に示すように)。UEは、CSリソース番号を現在のHARQフィードバックチャネル割振り式にそれぞれ適用して、アクセスネットワークデバイスによって割り振られたHARQフィードバックチャネルリソースを決定することができる。
【０１１８】
【表１１】
2013543287.tif 000013
【０１１９】
送信レイヤ0に対して構成されたCSリソースがLTEシステム中のCSリソースと同一である場合であって、CSリソース構成とCSリソース番号との間の定義されたマッピング関係が、LTEシステム中で定義されたものと同一である場合は、LTEとLTE-AdvancedとについてMU-MIMOスケジューリングをよく達成することができ、割り振られたHARQフィードバックチャネル間で競合が生じないことを、理解することができる。
【０１２０】
以上からわかるように、本実施形態では、アクセスネットワークデバイスは、追加のシグナリングを加えることなく、CSリソース構成を使用してHARQリードバックチャネルの2つのレイヤをUEに指示することができる。
【０１２１】
以上の実施形態では、それぞれの実施形態がそれぞれの焦点で述べられており、ある実施形態で詳細に述べられていない部分は、他の実施形態の関連の記述に見出すことができる。
【０１２２】
要約すれば、本発明の実施形態の解決法は、システムによってサポート可能な最大送信レイヤ数に関して、CSリソースとOCC系列リソースとの複数の組合せ構成項目のみを事前設定すればよく、これらの組合せ構成項目は、送信レイヤのそれぞれのDMRS系列を生成するのに使用可能なものである。また、アップリンクデータを送信するためのUEの送信レイヤのそれぞれのDMRS系列を生成するのに必要とされるCSとOCC系列との組合せ構成は、事前設定済みの複数の組合せ構成項目のうちの1つの構成サブセットである。この実装モードは、DMRSを生成するのに使用可能なCSとOCC系列との組合せ構成を生成することに関する標準化における記述の複雑さを低減することができ、標準化とシステマティックな実装との両方が容易である。
【０１２３】
一方、それぞれの組合せ構成項目中のCSおよびOCC系列リソース構成モードについてそれぞれの構成条件を設定することは、コードワード間のDMRS干渉を低減するのに役立つ。これは、単一UE MIMO送信における異なる送信レイヤ間のDMRS直交性を最適化すると同時に、OCC直交性を使用するためのMU-MIMO送信におけるUEのDMRSをサポートする。
【０１２４】
さらに、アクセスネットワークデバイスは、追加のシグナリンクを加えることなく、UEのCS系列グループホッピングモードを構成することができる。
【０１２５】
さらに、アクセスネットワークデバイスは、追加のシグナリングを加えることなく、CSリソース構成を使用してHARQリードバックチャネルの2つのレイヤをUEに指示することができる。
【０１２６】
本発明の以上の実施形態の技術的解決法をよりよく実現するために、本発明の実施形態はさらに、本発明の以上の実施形態の技術的解決法に対応するデバイスを提供する。
【０１２７】
図3を参照すると、本発明の実施形態によって提供されるアクセスネットワークデバイス300は、
アップリンクデータを送信するためのUEの送信レイヤの数を決定するように構成された決定モジュール310と、
決定モジュール310によって決定された送信レイヤ数に基づいて、循環シフトCSと直交カバー符号OCC系列との複数の組合せ構成項目(事前設定済みであり、システムによってサポート可能な最大送信レイヤ数を対象とし、それぞれの送信レイヤの復調基準信号DMRS系列を生成するのに使用可能である)のうちの1つの組合せ構成項目から、アップリンクデータを送信するためのUEのそれぞれの送信レイヤのDMRS系列を生成するのに必要なCSとOCC系列との組合せ構成を選択するための構成選択モジュール320であって、第1の構成条件が、事前設定済みのそれぞれの組合せ構成項目間で満たされ、第1の構成条件が、少なくとも2つの同一のCSリソース構成を含むそれぞれの組合せ構成項目が、異なるOCC系列リソース構成を使用することを含む、構成選択モジュール320と、
構成指示情報を含む制御シグナリングを生成してUEに送達するための指示モジュール330であって、構成指示情報が、構成選択モジュール320によって選択された、アップリンクデータを送信するためのUEのそれぞれの送信レイヤのDMRS系列を生成するのに必要なCSとOCC系列との組合せ構成を指示するのに使用される、指示モジュール330とを備える。
【０１２８】
ある適用シナリオでは、事前設定済みのそれぞれの組合せ構成項目は、第2の構成条件または第3の構成条件も満たす。
【０１２９】
ここで、第2の構成条件は、組合せ構成中で、同じコードワードにマッピングされる異なる送信レイヤに対応するCSリソース間の間隔が、異なるコードワードにマッピングされる送信レイヤに対応するCSリソース間の間隔よりも大きいことを含む。
【０１３０】
第3の構成条件は、組合せ構成中で、同じコードワードにマッピングされる異なる送信レイヤに対応するCSリソース間の間隔が、異なるコードワードにマッピングされる送信レイヤに対応するCSリソース間の間隔よりも小さい場合には、同じコードワードにマッピングされる異なる送信レイヤが、異なるOCC系列で構成されることを含む。
【０１３１】
ある適用シナリオでは、指示モジュール330はさらに、アップリンクデータを送信するためのUEのそれぞれの送信レイヤのDMRS系列を生成するのに必要な選択されたOCC系列リソース構成を使用して、UEによって採用されるDMRS系列グループホッピングモードを指示するのに、使用することができる。ここで、アップリンクデータを送信するためのUEのそれぞれの送信レイヤのDMRS系列を生成するのに必要な選択されたOCC系列リソース構成が同一である場合は、サブフレーム間DMRS系列グループホッピングモードを使用するようUEに指示する。アップリンクデータを送信するためのUEのそれぞれの送信レイヤのDMRS系列を生成するのに必要な選択されたOCC系列リソース構成が異なる場合は、スロット間DMRS系列グループホッピングモードを使用するようUEに指示する。
【０１３２】
ある適用シナリオでは、構成指示情報は、決定された送信レイヤ数と、事前設定済みの複数の組合せ構成項目からの選択された組合せ構成項目に対応する項目番号とを含む。
【０１３３】
指示モジュール330はさらに、事前設定済みのそれぞれの組合せ構成項目に対応する項目番号とDMRS系列グループホッピングモードとの間のマッピング関係に基づいて、構成指示情報に含まれる項目番号を使用して、UEによって採用されるべきDMRS系列グループホッピングモードを指示するのに、使用することができる。
【０１３４】
ある適用シナリオでは、構成選択モジュール320は特に、決定された送信レイヤ数に従って、かつ、送信レイヤ数と送信レイヤ選択モードとの間の事前設定済みのマッピング関係に基づいて、CSとOCC系列との複数の組合せ構成項目(事前設定済みであり、システムによってサポート可能な最大送信レイヤ数を対象とし、それぞれの送信レイヤの復調基準信号DMRS系列を生成するのに使用可能である)のうちの1つの組合せ構成項目から、アップリンクデータを送信するためのUEのそれぞれの送信レイヤのDMRS系列を生成するのに必要なCSとOCC系列との組合せ構成を選択するのに、使用することができる。
【０１３５】
ある適用シナリオでは、指示モジュール330はさらに、決定モジュール310によって決定された送信レイヤ数が2よりも多いときは、同一の利用可能CSリソース集合を採用する2つの選択された送信レイヤに対応するCSリソース構成を使用して、UEに割り振られる2つのハイブリッド自動再送要求HARQフィードバックチャネルリソースを指示するのに、使用することができる。
【０１３６】
本実施形態のアクセスネットワークデバイス300は、以上の方法実施形態のアクセスネットワークデバイスと同様とすることができること、および、アクセスネットワークのそれぞれの機能モジュールの機能は、以上の方法実施形態における方法に従って具体的に実現することができ、したがって本明細書では省略されることを、理解することができる。
【０１３７】
図4を参照すると、本発明の実施形態によって提供されるユーザ機器400は、
アクセスネットワークデバイスによって送達された、構成指示情報を含む制御シグナリングを受信するように構成された受信モジュール410であって、構成指示情報が、アップリンクデータを送信するためのUEのそれぞれの送信レイヤのDMRS系列を生成するのに必要なCSとOCC系列との組合せ構成を指示し、組合せ構成が、アップリンクデータを送信するためのユーザ機器の決定された送信レイヤ数に基づいて、CSとOCC系列との複数の組合せ構成項目(事前設定済みであり、システムによってサポート可能な最大送信レイヤ数に関して設定され、それぞれの送信レイヤの復調基準信号DMRS系列を生成するのに使用可能である)のうちの1つの組合せ構成項目から、アクセスネットワークデバイスによって選択される、受信モジュール410と、
受信モジュール410によって受信された制御シグナリングに含まれる構成指示情報に基づいて、CSとOCC系列との複数の組合せ構成項目(事前設定済みであり、システムによってサポート可能な最大送信レイヤ数に関して設定され、それぞれの送信レイヤの復調基準信号DMRS系列を生成するのに使用可能である)のうちの1つの組合せ構成項目からアクセスネットワークデバイスによって選択された、アップリンクデータを送信するためのUEのそれぞれの送信レイヤのDMRS系列を生成するのに必要なCSとOCC系列との組合せ構成を決定するように構成された構成決定モジュール420と、
構成決定モジュール420によって決定された組合せ構成に対応するCSおよびOCC系列を使用して、アップリンクデータを送信するためのUEのそれぞれの送信レイヤのDMRS系列を生成するように構成された生成モジュール430とを備える。
【０１３８】
ある適用シナリオでは、構成決定モジュール420はさらに、決定された組合せ構成中のそれぞれの送信レイヤに対応するOCC系列に基づいて、使用されるべきDMRS系列グループホッピングモードを決定するのに、使用することができる。ここで、決定された組合せ構成中のそれぞれの送信レイヤに対応するOCC系列リソース構成が同一である場合は、サブフレーム間DMRS系列グループホッピングモードの使用が決定される。決定された組合せ構成中のそれぞれの送信レイヤに対応するOCC系列リソース構成が異なる場合は、スロット間DMRS系列グループホッピングモードの使用が決定される。
【０１３９】
ある適用シナリオでは、構成決定モジュール420はさらに、事前設定済みのHARQフィードバックチャネルリソースと、決定された組合せ構成中で同一の利用可能CSリソース集合を採用する2つの送信レイヤに対応するCSリソースとの間のマッピング関係に基づいて、アクセスネットワークデバイスによって割り振られた2つのHARQフィードバックチャネルリソースを得るのに、使用することができる。
【０１４０】
本実施形態のユーザ機器400は、以上の方法実施形態のUEと同様とすることができること、および、ユーザ機器のそれぞれの機能モジュールの機能は、以上の方法実施形態における方法に従って具体的に実現することができ、したがって本明細書では省略されることを、理解することができる。
【０１４１】
以上の実施形態のそれぞれの方法におけるステップの全部または一部は、適切なハードウェアに命令するプログラムによって実施できることを、当業者なら認識することができる。プログラムは、コンピュータ可読記憶媒体に記憶されてよい。記憶媒体は、ROM、RAM、磁気ディスク、または光ディスクなどを含みうる。
【０１４２】
以上では、本発明の実施形態によって提供される、復調基準信号のリソース構成方法および関連するデバイスについて詳細に述べている。具体的な例を使用して、本発明の原理および実装形態について説明している。以上の実施形態の記述は、本発明の方法および要点を理解する助けとするものに過ぎない。一方、当業者なら、本発明の趣旨に従って、本発明の特定の実施形態および適用範囲を修正することができる。全体として、本記述の内容は、本発明に対する限定として解釈すべきではない。
【符号の説明】
【０１４３】
300  アクセスネットワークデバイス
310  決定モジュール
320  構成選択モジュール
330  指示モジュール
400  ユーザ機器
410  受信モジュール
420  構成決定モジュール
430  生成モジュール
【図１】
2013543287.tif 000014
【図２】
2013543287.tif 000015
【図３】
2013543287.tif 000016
【図４】
2013543287.tif 000017
【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
復調基準信号のリソース構成方法であって、
アップリンクデータを送信するための、ユーザ機器(UE)の送信レイヤの数を決定する段階と、
前記決定された送信レイヤ数に基づいて、循環シフト(CS)と直交カバー符号(OCC)系列との事前設定済みの複数の組合せ構成項目のうちの1つから、アップリンクデータを送信するための前記UEの前記送信レイヤのそれぞれの復調基準信号(DMRS)系列を生成するのに必要とされるCSとOCC系列との組合せ構成を選択する段階であって、前記組合せ構成項目が、システムによってサポート可能な最大送信レイヤ数に関して設定され、かつ送信レイヤのそれぞれのDMRS系列を生成するのに必要とされるものであり、第1の構成条件が前記事前設定済みの組合せ構成項目間で満たされ、前記第1の構成条件が、少なくとも2つの同じCSリソースで構成される組合せ構成項目の少なくとも一部の間で、異なるOCC系列が構成されることを含む段階と、
制御シグナリングを生成して前記UEに送達する段階であって、前記制御シグナリングが構成指示情報を含み、前記構成指示情報が、アップリンクデータを送信するための前記UEの前記送信レイヤのそれぞれのDMRS系列を生成するのに必要とされる前記CSとOCC系列との前記選択された組合せ構成を指示するものである段階とを含む方法。
【請求項２】
前記事前設定済みの組合せ構成項目のそれぞれが、前記通信システムによってサポート可能な前記最大送信レイヤ数に対応する第1の数のCSと、前記通信システムによってサポート可能な前記最大送信レイヤ数に対応する前記第1の数のOCC系列とで構成され、前記第1の数が、前記通信システムによってサポート可能な前記最大送信レイヤ数と同一である、請求項1に記載の方法。
【請求項３】
前記事前設定済みの組合せ構成項目のそれぞれが第2の構成条件または第3の構成条件も満たし、
前記第2の構成条件が、組合せ構成項目中で、同じコードワードにマッピングされる送信レイヤに対応するCSリソース間の間隔が、異なるコードワードにマッピングされる送信レイヤに対応するCSリソース間の間隔よりも大きいことを含み、
前記第3の構成条件が、組合せ構成項目中で、同じコードワードにマッピングされる異なる送信レイヤに対応するCSリソース間の間隔が、異なるコードワードにマッピングされる送信レイヤに対応するCSリソース間の間隔よりも小さい場合は、前記同じコードワードにマッピングされる前記異なる送信レイヤが、異なるOCC系列で構成されることを含む、請求項1または2に記載の方法。
【請求項４】
前記構成指示情報が、前記決定された送信レイヤ数と、前記事前設定済みの複数の組合せ構成項目からの前記選択された組合せ構成項目に対応する項目番号とを含む、請求項1から3のいずれか一項に記載の方法。
【請求項５】
アップリンクデータを送信するための前記UEのそれぞれの送信レイヤのDMRS系列を生成するのに必要な前記選択されたOCC系列リソース構成を使用して、前記UEによって使用されるDMRS系列グループホッピングモードを指示する段階をさらに含み、
アップリンクデータを送信するための前記UEのそれぞれの送信レイヤのDMRS系列を生成するのに必要な前記選択されたOCC系列リソース構成が同一である場合は、サブフレーム間DMRS系列グループホッピングモードを採用するよう前記UEに指示し、アップリンクデータを送信するための前記UEのそれぞれの送信レイヤのDMRS系列を生成するのに必要な前記選択されたOCC系列リソース構成が異なる場合は、スロット間DMRS系列グループホッピングモードを採用するよう前記UEに指示する、請求項1から4のいずれか一項に記載の方法。
【請求項６】
前記事前設定済みのそれぞれの組合せ構成項目に対応する項目番号とDMRS系列グループホッピングモードとの間のマッピング関係に基づいて、前記構成指示情報に含まれる前記項目番号を使用して、前記UEによって採用されるDMRS系列グループホッピングモードを指示する段階をさらに含む、請求項1から5のいずれか一項に記載の方法。
【請求項７】
事前設定済みであり、前記システムによってサポート可能な前記最大送信レイヤ数を対象とし、それぞれの送信レイヤの復調基準信号DMRS系列を生成するのに使用可能であるCSとOCC系列との複数の組合せ構成項目のうちの1つの組合せ構成項目から、前記決定された送信レイヤ数に基づいて、アップリンクデータを送信するための前記UEのそれぞれの送信レイヤのDMRS系列を生成するのに必要なCSとOCC系列との組合せ構成を選択する前記段階が、
事前設定済みであり、前記システムによってサポート可能な前記最大送信レイヤ数を対象とし、それぞれの送信レイヤの復調基準信号DMRS系列を生成するのに使用可能であるCSとOCC系列との複数の組合せ構成項目のうちの1つの組合せ構成項目から、前記決定された送信レイヤ数に基づいて、かつ、送信レイヤ数と送信レイヤ選択モードとの間の事前設定済みのマッピング関係に基づいて、アップリンクデータを送信するための前記UEのそれぞれの送信レイヤのDMRS系列を生成するのに必要なCSとOCC系列との組合せ構成を選択する段階を含む、請求項1から6のいずれか一項に記載の方法。
【請求項８】
前記決定された送信レイヤ数が2よりも多い場合は、同一の利用可能CSリソース集合を採用する2つの選択された送信レイヤに対応する前記選択されたCSリソース構成を使用して、前記UEに割り振られる2つのハイブリッド自動再送要求HARQフィードバックチャネルリソースを指示する段階をさらに含む、請求項1から7のいずれか一項に記載の方法。
【請求項９】
復調基準信号のリソース構成方法であって、
アクセスネットワークデバイスによって送達された、構成指示情報を含む制御シグナリングを受信する段階であって、前記構成指示情報が、アップリンクデータを送信するためのユーザ機器(UE)の送信レイヤのそれぞれの復調基準信号(DMRS)系列を生成するのに必要とされる循環シフト(CS)と直交カバー符号(OCC)系列との組合せ構成を指示し、前記組合せ構成が、アップリンクデータを送信するための前記UEの決定された送信レイヤ数に基づいて、CSとOCC系列との事前設定済みの複数の組合せ構成項目のうちの1つから前記アクセスネットワークデバイスによって選択されるものであり、前記組合せ構成項目が、システムによってサポート可能な最大送信レイヤ数に関して設定され、かつ送信レイヤのそれぞれのDMRS系列を生成するのに必要とされるものである段階と、
前記構成指示情報に従って、CSとOCC系列との事前設定済みの複数の組合せ構成項目からの、CSとOCC系列との前記組合せ構成を決定する段階であって、前記組合せ構成が、前記アクセスネットワークデバイスによって選択され、かつアップリンクデータを送信するための前記UEの送信レイヤのそれぞれのDMRS系列を生成するのに必要とされるものであり、前記組合せ構成項目が、前記システムによってサポート可能な前記最大送信レイヤ数に関して設定され、かつ送信レイヤのそれぞれのDMRS系列を生成するのに必要とされるものである段階と、
前記決定された組合せ構成に対応するCSおよびOCC系列を使用して、アップリンクデータを送信するための前記UEの前記送信レイヤの前記それぞれのDMRS系列を生成する段階とを含む方法。
【請求項１０】
第1の構成条件が前記事前設定済みの組合せ構成項目間で満たされ、前記第1の構成条件が、少なくとも2つの同じCSリソースで構成される組合せ構成項目の少なくとも一部の間で、異なるOCC系列が構成されることを含む、請求項9に記載の方法。
【請求項１１】
前記事前設定済みの組合せ構成項目のそれぞれが、前記通信システムによってサポート可能な前記最大送信レイヤ数に対応する第1の数のCSと、前記通信システムによってサポート可能な前記最大送信レイヤ数に対応する前記第1の数のOCC系列とで構成され、前記第1の数が、前記通信システムによってサポート可能な前記最大送信レイヤ数と同一である、請求項9または10に記載の方法。
【請求項１２】
前記事前設定済みの組合せ構成項目のそれぞれが第2の構成条件または第3の構成条件も満たし、
前記第2の構成条件が、組合せ構成項目中で、同じコードワードにマッピングされる送信レイヤに対応するCSリソース間の間隔が、異なるコードワードにマッピングされる送信レイヤに対応するCSリソース間の間隔よりも大きいことを含み、
前記第3の構成条件が、組合せ構成項目中で、同じコードワードにマッピングされる異なる送信レイヤに対応するCSリソース間の間隔が、異なるコードワードにマッピングされる送信レイヤに対応するCSリソース間の間隔よりも小さい場合は、前記同じコードワードにマッピングされる前記異なる送信レイヤが、異なるOCC系列で構成されることを含む、請求項9から11のいずれか一項に記載の方法。
【請求項１３】
前記構成指示情報が、前記決定された送信レイヤ数と、前記事前設定済みの複数の組合せ構成項目からの前記選択された組合せ構成項目に対応する項目番号とを含む、請求項9から12のいずれか一項に記載の方法。
【請求項１４】
前記決定された組合せ構成中のそれぞれの送信レイヤに対応するOCC系列に基づいて、使用されるDMRS系列グループホッピングモードを決定する段階をさらに含み、
前記決定された組合せ構成中の前記それぞれの送信レイヤに対応する前記OCC系列リソース構成が同じである場合は、サブフレーム間DMRS系列グループホッピングモードが使用されると決定し、前記決定された組合せ構成中の前記それぞれの送信レイヤに対応する前記OCC系列リソース構成が異なる場合は、スロット間DMRS系列グループホッピングモードが使用されると決定する、請求項9から13のいずれか一項に記載の方法。
【請求項１５】
アップリンクデータを送信するための前記送信レイヤの数が2よりも多い場合は、HARQフィードバックチャネルリソースと、前記決定された組合せ構成中で同じ利用可能CSリソース集合を使用する2つの送信レイヤに対応するCSリソースとの間の事前設定済みのマッピング関係に基づいて、前記アクセスネットワークデバイスによって割り振られた2つのHARQフィードバックチャネルリソースを得る段階をさらに含む、請求項9から14のいずれか一項に記載の方法。
【請求項１６】
アップリンクデータを送信するためのユーザ機器(UE)の送信レイヤの数を決定するように構成された決定モジュールと、
前記決定モジュールによって決定された前記送信レイヤ数に基づいて、循環シフト(CS)と直交カバー符号(OCC)系列との事前設定済みの複数の組合せ構成項目のうちの1つから、アップリンクデータを送信するための前記UEの前記送信レイヤのそれぞれの復調基準信号(DMRS)系列を生成するのに必要とされるCSとOCC系列との組合せ構成を選択するように構成された構成選択モジュールであって、前記組合せ構成項目が、システムによってサポート可能な最大送信レイヤ数に関して設定され、かつ送信レイヤのそれぞれのDMRS系列を生成するのに必要とされ、第1の構成条件が前記事前設定済みの組合せ構成項目間で満たされ、前記第1の構成条件が、少なくとも2つの同じCSリソースで構成される組合せ構成項目の少なくとも一部の間で、異なるOCC系列が構成されることを含む、構成選択モジュールと、
制御シグナリングを生成して前記UEに送達するように構成された指示モジュールであって、前記制御シグナリングが構成指示情報を含み、前記構成指示情報が、前記構成選択モジュールによって選択された、かつアップリンクデータを送信するための前記UEの前記送信レイヤのそれぞれのDMRS系列を生成するのに必要とされる、前記CSとOCC系列との前記組合せ構成を指示する、指示モジュールとを備える、アクセスネットワークデバイス。
【請求項１７】
前記事前設定済みの組合せ構成項目のそれぞれが、前記通信システムによってサポート可能な前記最大送信レイヤ数に対応する第1の数のCSと、前記通信システムによってサポート可能な前記最大送信レイヤ数に対応する前記第1の数のOCC系列とで構成され、前記第1の数が、前記通信システムによってサポート可能な前記最大送信レイヤ数と同一である、請求項16に記載のアクセスネットワークデバイス。
【請求項１８】
前記事前設定済みのそれぞれの組合せ構成項目がそれぞれ、第2の構成条件または第3の構成条件も満たし、
前記第2の構成条件が、組合せ構成項目中で、同じコードワードにマッピングされる送信レイヤに対応するCSリソース間の間隔が、異なるコードワードにマッピングされる送信レイヤに対応するCSリソース間の間隔よりも大きいことを含み、
前記第3の構成条件が、組合せ構成項目中で、同じコードワードにマッピングされる異なる送信レイヤに対応するCSリソース間の間隔が、異なるコードワードにマッピングされる送信レイヤに対応するCSリソース間の間隔よりも小さい場合は、前記同じコードワードにマッピングされる前記異なる送信レイヤが、異なるOCC系列で構成されることを含む、請求項16または17に記載のアクセスネットワークデバイス。
【請求項１９】
前記指示モジュールによって生成され送達される前記制御シグナリングに含まれる前記構成指示情報が、前記決定モジュールによって決定された前記送信レイヤ数と、前記事前設定済みの複数の組合せ構成項目から前記構成選択モジュールによって選択された前記組合せ構成項目に対応する項目番号とを含む、請求項16から18のいずれか一項に記載のアクセスネットワークデバイス。
【請求項２０】
前記指示モジュールがさらに、前記事前設定済みのそれぞれの組合せ構成項目に対応する項目番号とDMRS系列グループホッピングモードとの間のマッピング関係に基づいて、前記構成指示情報に含まれる項目番号を使用して、前記UEによって使用されるDMRS系列グループホッピングモードを指示するように構成された、請求項16から19のいずれか一項に記載のアクセスネットワークデバイス。
【請求項２１】
前記指示モジュールがさらに、アップリンクデータを送信するための前記UEのそれぞれの送信レイヤのDMRS系列を生成するのに必要な前記選択されたOCC系列リソース構成を使用して、前記UEによって使用されるDMRS系列グループホッピングモードを指示するように構成され、
アップリンクデータを送信するための前記UEのそれぞれの送信レイヤのDMRS系列を生成するのに必要な前記選択されたOCC系列リソース構成が同じである場合は、サブフレーム間DMRS系列グループホッピングモードが前記UEによって使用されるよう指示し、アップリンクデータを送信するための前記UEのそれぞれの送信レイヤのDMRS系列を生成するのに必要な前記選択されたOCC系列リソース構成が異なる場合は、スロット間DMRS系列グループホッピングモードが前記UEによって使用されるよう指示する、請求項16から20のいずれか一項に記載のアクセスネットワークデバイス。
【請求項２２】
前記構成選択モジュールが、前記決定モジュールによって決定された前記送信レイヤ数に基づいて、CSとOCC系列との事前設定済みの複数の組合せ構成項目のうちの1つから、アップリンクデータを送信するための前記UEの前記送信レイヤのそれぞれの復調基準信号(DMRS)系列を生成するのに必要とされるCSとOCC系列との組合せ構成を選択するように構成され、前記組合せ構成項目が、前記システムによってサポート可能な前記最大送信レイヤ数に関して設定され、かつ送信レイヤのそれぞれのDMRS系列を生成するのに必要とされ、前記選択することが、
事前設定済みであり、前記システムによってサポート可能な前記最大送信レイヤ数を対象とし、それぞれの送信レイヤの復調基準信号DMRS系列を生成するのに使用可能であるCSとOCC系列との複数の組合せ構成項目のうちの1つの組合せ構成項目から、前記決定された送信レイヤ数に基づいて、かつ、送信レイヤ数と送信レイヤ選択モードとの間の事前設定済みのマッピング関係に基づいて、アップリンクデータを送信するための前記UEのそれぞれの送信レイヤのDMRS系列を生成するのに必要なCSとOCC系列との組合せ構成を選択することを含む、請求項16から21のいずれか一項に記載のアクセスネットワークデバイス。
【請求項２３】
前記決定モジュールによって決定された前記送信レイヤ数が2よりも多いときは、前記指示モジュールがさらに、同一の利用可能CSリソース集合を採用する2つの送信レイヤに対応する前記選択されたCSリソース構成を使用して、前記UEに割り振られる2つのハイブリッド自動再送要求HARQフィードバックチャネルリソースを指示するように構成された、請求項16から22のいずれか一項に記載のアクセスネットワークデバイス。
【請求項２４】
アクセスネットワークデバイスによって送達された、構成指示情報を含む制御シグナリングを受信するように構成された受信モジュールであって、前記構成指示情報が、アップリンクデータを送信するためのユーザ機器(UE)の送信レイヤのそれぞれの復調基準信号(DMRS)系列を生成するのに必要とされる循環シフト(CS)と直交カバー符号(OCC)系列との組合せ構成を指示し、前記組合せ構成が、アップリンクデータを送信するための前記UEの決定された送信レイヤ数に基づいて、CSとOCC系列との事前設定済みの複数の組合せ構成項目のうちの1つから前記アクセスネットワークデバイスによって選択され、前記組合せ構成項目が、システムによってサポート可能な最大送信レイヤ数に関して設定され、かつ送信レイヤのそれぞれのDMRS系列を生成するのに必要とされる、受信モジュールと、
前記受信モジュールによって受信された前記制御シグナリングに含まれる前記構成指示情報に従って、CSとOCC系列との事前設定済みの複数の組合せ構成項目からの、CSとOCC系列との前記組合せ構成を決定するように構成された構成決定モジュールであって、前記組合せ構成が、前記アクセスネットワークデバイスによって選択され、かつアップリンクデータを送信するための前記UEの送信レイヤのそれぞれのDMRS系列を生成するのに必要とされ、前記組合せ構成項目が、前記システムによってサポート可能な前記最大送信レイヤ数に関して設定され、かつ送信レイヤのそれぞれのDMRS系列を生成するのに必要とされる、構成決定モジュールと、
前記構成決定モジュールによって決定された前記組合せ構成に対応するCSおよびOCC系列を使用して、アップリンクデータを送信するための前記UEの前記送信レイヤの前記それぞれのDMRS系列を生成するように構成された生成モジュールとを備える、ユーザ機器。
【請求項２５】
第1の構成条件が前記事前設定済みの組合せ構成項目間で満たされ、前記第1の構成条件が、少なくとも2つの同じCSリソースで構成される組合せ構成項目の少なくとも一部の間で、異なるOCC系列が構成されることを含む、請求項24に記載のユーザ機器。
【請求項２６】
前記事前設定済みの組合せ構成項目のそれぞれが、前記通信システムによってサポート可能な前記最大送信レイヤ数に対応する第1の数のCSと、前記通信システムによってサポート可能な前記最大送信レイヤ数に対応する前記第1の数のOCC系列とで構成され、前記第1の数が、前記通信システムによってサポート可能な前記最大送信レイヤ数と同一である、請求項24または25に記載のユーザ機器。
【請求項２７】
前記事前設定済みの組合せ構成項目のそれぞれが第2の構成条件または第3の構成条件も満たし、
前記第2の構成条件が、組合せ構成項目中で、同じコードワードにマッピングされる送信レイヤに対応するCSリソース間の間隔が、異なるコードワードにマッピングされる送信レイヤに対応するCSリソース間の間隔よりも大きいことを含み、
前記第3の構成条件が、組合せ構成項目中で、同じコードワードにマッピングされる異なる送信レイヤに対応するCSリソース間の間隔が、異なるコードワードにマッピングされる送信レイヤに対応するCSリソース間の間隔よりも小さい場合は、前記同じコードワードにマッピングされる前記異なる送信レイヤが、異なるOCC系列で構成されることを含む、請求項24から26のいずれか一項に記載のユーザ機器。
【請求項２８】
前記構成指示情報が、前記決定された送信レイヤ数と、前記事前設定済みの複数の組合せ構成項目からの前記選択された組合せ構成項目に対応する項目番号とを含む、請求項24から27のいずれか一項に記載のユーザ機器。
【請求項２９】
前記構成決定モジュールがさらに、
前記決定された組合せ構成中のそれぞれの送信レイヤに対応する前記OCC系列に基づいて、使用されるDMRS系列グループホッピングモードを決定するように構成され、前記決定された組合せ構成中で前記それぞれの送信レイヤに対応する前記OCC系列リソース構成が同一である場合は、サブフレーム間DMRS系列グループホッピングモードの使用を決定し、前記決定された組合せ構成中で前記それぞれの送信レイヤに対応する前記OCC系列リソース構成が異なる場合は、スロット間DMRS系列グループホッピングモードの使用を決定する、請求項24から28のいずれか一項に記載のユーザ機器。
【請求項３０】
前記構成決定モジュールがさらに、
アップリンクデータを送信するための前記送信レイヤ数が2よりも多いときは、HARQフィードバックチャネルリソースと、前記決定された組合せ構成中で同一の利用可能CSリソース集合を採用する2つの送信レイヤに対応するCSリソースとの間の事前設定済みのマッピング関係に基づいて、前記アクセスネットワークデバイスによって割り振られた2つのHARQフィードバックチャネルリソースを得るように構成された、請求項24から29のいずれか一項に記載のユーザ機器。
【請求項３１】
通信システム中のアクセスネットワークデバイスまたはユーザ機器に適用されるコンピュータ可読記憶媒体であって、
CSとOCC系列との事前設定済みの複数の組合せ構成項目を記憶するように構成され、前記組合せ構成項目が、前記システムによってサポート可能な最大送信レイヤ数に関して設定され、かつ送信レイヤのそれぞれのDMRS系列を生成するのに必要とされ、第1の構成条件が前記事前設定済みの組合せ構成項目間で満たされ、前記第1の構成条件が、少なくとも2つの同じCSリソースで構成される組合せ構成項目の少なくとも一部の間で、異なるOCC系列が構成されることを含む、コンピュータ可読記憶媒体。
【請求項３２】
前記事前設定済みの組合せ構成項目のそれぞれが、前記通信システムによってサポート可能な前記最大送信レイヤ数に対応する第1の数のCSと、前記通信システムによってサポート可能な前記最大送信レイヤ数に対応する前記第1の数のOCC系列とで構成され、前記第1の数が、前記通信システムによってサポート可能な前記最大送信レイヤ数と同一である、請求項31に記載のコンピュータ可読記憶媒体。
【請求項３３】
前記事前設定済みのそれぞれの組合せ構成項目がそれぞれ、第2の構成条件または第3の構成条件も満たし、
前記第2の構成条件が、組合せ構成項目中で、同じコードワードにマッピングされる送信レイヤに対応するCSリソース間の間隔が、異なるコードワードにマッピングされる送信レイヤに対応するCSリソース間の間隔よりも大きいことを含み、
前記第3の構成条件が、組合せ構成項目中で、同じコードワードにマッピングされる異なる送信レイヤに対応するCSリソース間の間隔が、異なるコードワードにマッピングされる送信レイヤに対応するCSリソース間の間隔よりも小さい場合は、前記同じコードワードにマッピングされる前記異なる送信レイヤが、異なるOCC系列で構成されることを含むことを特徴とする、請求項31または32に記載のコンピュータ可読記憶媒体。
【国際調査報告】
2013543287.tif 000018
2013543287.tif 000019
2013543287.tif 000020
2013543287.tif 000021